(57)【要約】本書に説明されるものは、第３世代パートナシッププロジェクト（３ＧＰＰ）アクセスを使用してかつ非３ＧＰＰアクセスを使用して登録をサポートするユーザ機器（ＵＥ）におけるシステムおよび方法であり、本方法は、ＵＥのメモリ内に、第１の登録プロシージャを使用して受信された第１の緊急情報を記憶することと、ＵＥが、非３ＧＰＰアクセスを介して、第２の登録プロシージャを使用して、ＲＥＧＩＳＴＲＡＴＩＯＮ  ＡＣＣＥＰＴメッセージを受信することと、ＲＥＧＩＳＴＲＡＴＩＯＮ  ＡＣＣＥＰＴメッセージを受信した後、メモリ内に、第１の緊急情報を保つこととを含む。【選択図】図１２
2021521743.tif 000002
【特許請求の範囲】
【請求項１】
第３世代パートナシッププロジェクト（３ＧＰＰ）アクセスを使用してかつ非３ＧＰＰアクセスを使用して登録をサポートするユーザ機器（ＵＥ）における方法であって、前記方法は、
前記ＵＥが、第１の登録プロシージャを使用して受信された第１の緊急情報を記憶することと、
前記ＵＥが、非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記ＵＥが、前記第１の緊急情報を保つことと
を含む、方法。
【請求項２】
前記第１の登録プロシージャは、第１のネットワークとの登録プロシージャを含む、請求項１に記載の方法。
【請求項３】
前記第１のネットワークとの登録プロシージャは、３ＧＰＰアクセスを介した登録プロシージャを含む、請求項２に記載の方法。
【請求項４】
前記ＵＥが、前記第１の緊急情報が受信されたときに介したアクセスタイプのインジケーションを記憶することをさらに含む、請求項１〜３のいずれかに記載の方法。
【請求項５】
前記第２の登録プロシージャは、第２のネットワークとの登録プロシージャを含む、請求項２に記載の方法。
【請求項６】
前記ＲＥＧＩＳＴＲＡＴＩＯＮ  ＡＣＣＥＰＴメッセージは、第２の緊急情報を含有しない、請求項１〜５のいずれかに記載の方法。
【請求項７】
前記第１の緊急情報は、拡張緊急番号リスト情報要素（ＩＥ）または拡張緊急番号リストＩＥからのデータを含む、請求項１〜６のいずれかに記載の方法。
【請求項８】
前記ＲＥＧＩＳＴＲＡＴＩＯＮ  ＡＣＣＥＰＴメッセージは、前記ＵＥの現在の場所と関連付けられた国と異なる国のネットワークから受信される、請求項５に記載の方法。
【請求項９】
前記ＲＥＧＩＳＴＲＡＴＩＯＮ  ＡＣＣＥＰＴメッセージは、第２の緊急情報を含有する、請求項１〜８のいずれかに記載の方法。
【請求項１０】
前記第１の緊急情報は、前記第１のネットワークにおいて有効である、請求項２に記載の方法。
【請求項１１】
前記第１の登録プロシージャまたは前記第２の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを含む、請求項１〜１０のいずれかに記載の方法。
【請求項１２】
前記第１のネットワークおよび前記第２のネットワークは、異なる、請求項５に記載の方法。
【請求項１３】
前記第１の緊急情報を保つことは、前記第２の緊急情報を破棄することを含む、請求項９に記載の方法。
【請求項１４】
第３世代パートナシッププロジェクト（３ＧＰＰ）アクセスを使用してかつ非３ＧＰＰアクセスを使用して登録をサポートするユーザ機器（ＵＥ）であって、前記ＵＥは、
メモリと、
前記メモリに結合されるプロセッサであって、前記プロセッサは、
第１の登録プロシージャを使用して受信された第１の緊急情報を記憶することと、
非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記第１の緊急情報を保つことと
を行うように構成される、プロセッサと
を備える、ＵＥ。
【請求項１５】
前記第１の登録プロシージャは、第１のネットワークとの登録プロシージャを含む、請求項１４に記載のＵＥ。
【請求項１６】
前記第１のネットワークとの登録プロシージャは、３ＧＰＰアクセスを介した登録プロシージャを含む、請求項１５に記載のＵＥ。
【請求項１７】
前記プロセッサは、前記第１の緊急情報が受信されたときに介したアクセスタイプのインジケーションを記憶するようにさらに構成される、請求項１４〜１６のいずれか１項に記載のＵＥ。
【請求項１８】
前記第２の登録プロシージャは、第２のネットワークとの登録プロシージャを含む、請求項１５に記載のＵＥ。
【請求項１９】
前記ＲＥＧＩＳＴＲＡＴＩＯＮ  ＡＣＣＥＰＴメッセージは、第２の緊急情報を含有しない、請求項１４〜１８のいずれか１項に記載のＵＥ。
【請求項２０】
前記第１の緊急情報は、拡張緊急番号リスト情報要素（ＩＥ）または拡張緊急番号リストＩＥからのデータを含む、請求項１４〜１９のいずれか１項に記載のＵＥ。
【請求項２１】
前記ＲＥＧＩＳＴＲＡＴＩＯＮ  ＡＣＣＥＰＴメッセージは、前記ＵＥの現在の場所と関連付けられた国と異なる国のネットワークから受信される、請求項１８に記載のＵＥ。
【請求項２２】
前記ＲＥＧＩＳＴＲＡＴＩＯＮ  ＡＣＣＥＰＴメッセージは、第２の緊急情報を含有する、請求項１４〜２１のいずれか１項に記載のＵＥ。
【請求項２３】
前記第１の緊急情報は、前記第１のネットワークにおいて有効である、請求項１５に記載のＵＥ。
【請求項２４】
前記第１の登録プロシージャまたは前記第２の登録プロシージャは、前記プロセッサが、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録するように構成されることを含む、請求項１４〜２３のいずれか１項に記載のＵＥ。
【請求項２５】
前記第１のネットワークおよび前記第２のネットワークは、異なる、請求項１８に記載のＵＥ。
【請求項２６】
前記第１の緊急情報を保つことは、前記プロセッサが前記第２の緊急情報を破棄するように構成されることを含む、請求項２２に記載のＵＥ。
【請求項２７】
命令を備える非一過性コンピュータ可読媒体であって、
前記命令は、第３世代パートナシッププロジェクト（３ＧＰＰ）アクセスを使用してかつ非３ＧＰＰアクセスを使用して登録をサポートするユーザ機器（ＵＥ）によって実行されると、
第１の登録プロシージャを使用して受信された第１の緊急情報を記憶することと、
非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記第１の緊急情報を保つことと
を前記ＵＥに行わせる、非一過性コンピュータ可読媒体。
【請求項２８】
前記第１の登録プロシージャは、第１のネットワークとの登録プロシージャを含む、請求項２７に記載の非一過性コンピュータ可読媒体。
【請求項２９】
前記第１のネットワークとの登録プロシージャは、３ＧＰＰアクセスを介した登録プロシージャを含む、請求項２８に記載の非一過性コンピュータ可読媒体。
【請求項３０】
前記命令は、前記第１の緊急情報が受信されたときに介したアクセスタイプのインジケーションを記憶することを前記ＵＥにさらに行わせる、請求項２７〜２９のいずれか１項に記載の非一過性コンピュータ可読媒体。
【請求項３１】
前記第２の登録プロシージャは、第２のネットワークとの登録プロシージャを含む、請求項２８に記載の非一過性コンピュータ可読媒体。
【請求項３２】
前記ＲＥＧＩＳＴＲＡＴＩＯＮ  ＡＣＣＥＰＴメッセージは、第２の緊急情報を含有しない、請求項２７〜３１のいずれか１項に記載の非一過性コンピュータ可読媒体。
【請求項３３】
前記第１の緊急情報は、拡張緊急番号リスト情報要素（ＩＥ）または拡張緊急番号リストＩＥからのデータを含む、請求項２７〜３２のいずれか１項に記載の非一過性コンピュータ可読媒体。
【請求項３４】
前記ＲＥＧＩＳＴＲＡＴＩＯＮ  ＡＣＣＥＰＴメッセージは、前記ＵＥの現在の場所と関連付けられた国と異なる国のネットワークから受信される、請求項３１に記載の非一過性コンピュータ可読媒体。
【請求項３５】
前記ＲＥＧＩＳＴＲＡＴＩＯＮ  ＡＣＣＥＰＴメッセージは、第２の緊急情報を含有する、請求項２７〜３４のいずれか１項に記載の非一過性コンピュータ可読媒体。
【請求項３６】
前記第１の緊急情報は、前記第１のネットワークにおいて有効である、請求項２８に記載の非一過性コンピュータ可読媒体。
【請求項３７】
前記第１の登録プロシージャまたは前記第２の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを前記ＵＥに行わせる命令を含む、請求項２７〜３６のいずれか１項に記載の非一過性コンピュータ可読媒体。
【請求項３８】
前記第１のネットワークおよび前記第２のネットワークは、異なる、請求項３１に記載の非一過性コンピュータ可読媒体。
【請求項３９】
前記第１の緊急情報を保つことは、前記第２の緊急情報を破棄することを前記ＵＥに行わせる命令を含む、請求項３５に記載の非一過性コンピュータ可読媒体。
【発明の詳細な説明】
【背景技術】
【０００１】
本明細書で使用される場合、用語「ユーザ機器」（代替として、「ＵＥ」）は、いくつかの場合には、モバイルデバイスまたは無線デバイス（例えば、携帯電話、携帯情報端末、ハンドヘルド、ラップトップコンピュータまたはパーソナルコンピュータ、ならびに、テキストおよび電子メール機能性を含む電気通信能力を有する類似デバイス）を指す場合がある。用語「ＵＥ」、「モバイルデバイス」、および「無線デバイス」は、本明細書では、同義的に使用され得る。そのようなＵＥは、デバイスおよびその関連付けられたリムーバブルメモリモジュール（例えば、限定ではないが、加入者識別モジュール（ＳＩＭ）アプリケーション、ユニバーサル加入者識別モジュール（ＵＳＩＭ）アプリケーション、またはリムーバブルユーザ識別モジュール（Ｒ−ＵＩＭ）アプリケーションを含むユニバーサル集積回路カード（ＵＩＣＣ））を含む場合がある。代替として、そのようなＵＥは、そのようなモジュールを伴わないデバイス自体を含む場合がある。他の場合では、用語「ＵＥ」は、類似能力を有するが搬送可能ではないデバイス（例えば、デスクトップコンピュータ、セットトップボックス、またはネットワーク家電）を指す場合がある。用語「ＵＥ」はまた、ユーザのための通信セッションが終端し得る任意のコンポーネントを指し得る。また、用語「ユーザ機器」、「ＵＥ」、「ユーザエージェント」、「ＵＡ」、「ユーザデバイス」、および「モバイルデバイス」は、本明細書では同義的に使用される場合がある。
【発明の概要】
【課題を解決するための手段】
【０００２】
緊急呼出またはセッションは、特殊タイプの呼出またはセッションである。通常、ネットワーク内において他の呼出より高い優先順位を有し、そのベアラは、他の呼出と異なる特性を有し、例えば、ベアラは、より高い優先順位またはより高いサービスの質（ＱｏＳ）のうちの１つまたは複数のものを有し得る。輻輳状況では、他の非緊急呼出は、解放され、緊急呼出が行われるまたは継続することを可能にし得る。緊急呼出は、通常、国またはエリア内で広範にパブリッシュまたはアドバタイズされる番号（例えば、１１０、０００、１１２、９１１、９９９等）に対して行われる。緊急呼出は、公共安全アクセスポイント（ＰＳＡＰ）と呼ばれる特殊設備に終端されることができる。第３世代パートナシッププロジェクト（３ＧＰＰ）システムでは、緊急呼出は、３ＧＰＰ  ＴＳ２３．１６７および３ＧＰＰ  ＴＳ２２．１０１に説明される。
【０００３】
緊急番号は、地域または国特有であり得る。通信システムのローカルユーザは、通常、そのローカルシステムにおける緊急番号を熟知している。しかしながら、ローミングユーザは、それらを熟知していない場合がある。いくつかの国は、緊急番号を急速に導入している。例えば、仏国は、過去１０年に６つの緊急サービスを追加している。呼出が緊急番号に行われるときに正しい特性が適用されることを確実にするために、緊急番号のリストが、ユーザ機器（ＵＥ）に記憶されてもよい。緊急番号のリストは、地上波公共移動通信ネットワーク（ＰＬＭＮ）との登録中にＵＥによって受信されてもよい。ＰＬＭＮは、ＵＥによる通信を促進する無線通信ネットワークである。ＵＥは、所与の時間において、１つまたは複数のＰＬＭＮに登録され得る。登録は、１つまたは複数のアクセス技術（例えば、３ＧＰＰアクセス技術および非３ＧＰＰアクセス技術）を介して生じ得る。３ＧＰＰアクセス技術は、限定ではないが、Ｅ−ＵＴＲＡ（進化型ユニバーサル地上無線アクセス）、汎用パケット無線サービス（ＧＰＲＳ）、ロングタームエボリューション（ＬＴＥ）、および次世代無線アクセスネットワーク（ＮＧ−ＲＡＮ）を含む。ＮＧ−ＲＡＮは、それが５ＧＣに接続するという共通特性を伴う以下のオプション、すなわち、１）スタンドアロン新規無線（ＮＲ）、２）Ｅ−ＵＴＲＡ拡張を伴うアンカであるＮＲ、３）スタンドアロンＥ−ＵＴＲＡ、または４）ＮＲ拡張を伴うアンカであるＥ−ＵＴＲＡのうちの１つまたは複数のものをサポートする無線アクセスネットワークである。非３ＧＰＰアクセス技術は、限定ではないが、無線ローカルエリアネットワーク（ＷＬＡＮ）を含む。
【図面の簡単な説明】
【０００４】
本開示のより完全な理解のために、ここで、以下の簡潔な説明が参照され、付随の図面および詳細な説明と関連して検討され、同様の参照番号が同様の部分を表す。
【０００５】
【図１】図１は、ローカル緊急番号を管理するためのシステムの実施形態の略図である。
【０００６】
【図２】図２は、緊急番号記憶方法の実施形態のフロー図である。
【０００７】
【図３Ａ】図３Ａは、緊急番号記憶方法の別の実施形態のフロー図である。
【０００８】
【図３Ｂ】図３Ｂは、図３Ａの実施形態の強化である。
【０００９】
【図４】図４は、緊急番号記憶方法の別の実施形態のフロー図である。
【００１０】
【図５】図５は、緊急番号記憶方法の別の実施形態のフロー図である。
【００１１】
【図６】図６は、緊急番号記憶方法の別の実施形態のフロー図である。
【００１２】
【図７】図７は、５Ｇネットワークアーキテクチャの実施形態の略図である。
【００１３】
【図８】図８は、登録プロシージャの実施形態の略図である。
【００１４】
【図９】図９は、インターネットプロトコル（ＩＰ）マルチメディアサブシステム（ＩＭＳ）の実施形態の略図である。
【００１５】
【図１０】図１０は、ネットワーク要素の実施形態の略図である。
【００１６】
【図１１】図１１は、通信デバイスの実施形態の略図である。
【００１７】
【図１２】図１２は、本明細書に開示される１つまたは複数の実施形態を実装することに適したシステムの実施形態の略図である。
【発明を実施するための形態】
【００１８】
ＰＬＭＮとの登録は、ＰＬＭＮにアクセスするために使用されるアクセス技術またはアクセスネットワークによってサポートされるコアネットワークに応じて、種々のメッセージを含み得る。コアネットワークの実施例は、ＥＰＣ（進化型パケットコア）および５ＧＣ（５Ｇコア）である。さらに、Ｅ−ＵＴＲＡは、ＥＰＣまたは５ＧＣにアクセスするために使用されることができるアクセスである。本明細書で使用される場合、登録は、限定ではないが、場所登録を用いたＵＥの存在の登録、進化型パケットシステム（ＥＰＳ）におけるアタッチプロシージャ（ＥＰＳは、ＥＰＣおよびＥ−ＵＴＲＡＮを含む）、または５Ｇシステム（５ＧＳ）における登録プロシージャ（５ＧＳは、５ＧＣ、例えば、ＮＧ−ＲＡＮを含む）を含む。Ｅ−ＵＴＲＡネットワーク（Ｅ−ＵＴＲＡＮ）を介してアタッチされるＵＥは、追跡エリア更新プロシージャを使用することによって、場所登録を実施してもよい。追跡エリア更新プロシージャは、ＵＥがＴＲＡＣＫＩＮＧ  ＡＲＥＡ  ＵＰＤＡＴＥ要求を送信し、ＴＲＡＣＫＩＮＧ  ＡＲＥＡ  ＵＰＤＡＴＥ  ＡＣＣＥＰＴメッセージを受信することを含み得る。アタッチプロシージャは、ＵＥがＡＴＴＡＣＨ  ＲＥＱＵＥＳＴメッセージを送信し、ＡＴＴＡＣＨ  ＡＣＣＥＰＴメッセージを受信することを含み得る。ＮＲ、Ｅ−ＵＴＲＡ、または非３ＧＰＰアクセス（例えば、ＷＬＡＮ）を介して、５ＧＣに登録されるＵＥは、登録プロシージャを実施してもよい。登録プロシージャは、ＵＥがＲＥＧＩＳＴＲＡＴＩＯＮ  ＲＥＱＵＥＳＴメッセージを送信し、ＲＥＧＩＳＴＲＡＴＩＯＮ  ＡＣＣＥＰＴメッセージを受信することを含み得る。
【００１９】
ＵＥのための登録プロシージャは、非アクセス層（ＮＡＳ）プロシージャによって統制され得る。５ＧシステムにおけるＮＡＳプロシージャが、３ＧＰＰアクセスおよび非３ＧＰＰアクセスの両方のためのＵＥとアクセスおよびモビリティ管理機能（ＡＭＦ）との間のモビリティ管理と、３ＧＰＰアクセスおよび非３ＧＰＰアクセスの両方のためのＵＥとセッション管理機能（ＳＭＦ）との間のセッション管理とのために使用され得る。５ＧＳモビリティ管理（５ＧＭＭ）プロトコルは、ＵＥが次世代（ＮＧ）無線アクセスネットワーク（ＮＧ−ＲＡＮ）および／または非３ＧＰＰアクセスネットワークを使用しているとき、モビリティの制御のためのプロシージャを提供する。ＮＡＳプロシージャは、典型的には、３ＧＰＰアクセスおよび非３ＧＰＰアクセスの両方に共通である。これらのプロシージャ（例えば、５ＧＭＭプロトコルおよびプロシージャの一部として）は、登録プロシージャ（モビリティおよび周期的登録更新のための登録プロシージャおよび初期登録のための登録プロシージャを含む）を含む。注記：ＳＩＰもまた、登録プロシージャを含むが、ＳＩＰレジストラとの登録を生じさせるＳＩＰメッセージは、ＳＩＰ登録メッセージである。本書全体を通して、登録が述べられるとき、コアネットワークとの登録のプロセスを指し、ＳＩＰ登録プロシージャではない（これが明示的に示されない限り）。
【００２０】
ＥＰＳにおけるＮＡＳプロシージャは、ＥＰＳ内のＵＥとモビリティ管理エンティティ（ＭＭＥ）との間で使用されるモビリティ管理およびセッション管理のためのプロトコルを含む。ＥＰＳモビリティ管理（ＥＭＭ）プロトコルは、ＵＥが進化型ＵＭＴＳ地上無線アクセスネットワーク（Ｅ−ＵＴＲＡＮ）を使用しているとき、モビリティの制御のためのプロシージャを提供する。ＥＭＭプロトコルはまた、ＮＡＳプロトコルのためのセキュリティの制御を提供する。（ＥＰＳにおける）これらのＮＡＳプロシージャは、３ＧＰＰアクセスのみに適用される。これらのプロシージャ（例えば、ＥＭＭプロトコルおよびプロシージャの一部として）は、アタッチプロシージャおよび追跡エリア更新プロシージャを含む。
【００２１】
登録中にＵＥに提供される緊急情報は、拡張ローカル緊急番号リストおよびローカル緊急番号リストの一方または両方を含み得る。ローカル緊急番号リストは、回線交換（ＣＳ）ドメイン上で使用されてもよく、例えば、「カテゴリ」を含むようにエンコードされてもよい（カテゴリは、ＵＲＮまたはＵＲＮラベルの連結ではなく、ビットを使用して、緊急サービスを識別する）。拡張ローカル緊急番号リストは、カテゴリを含まず、その中の情報は、典型的には、ＵＥがＣＳドメインを使用しているとき、ＣＳ緊急呼出設定メッセージ内に含まれない場合がある。ＰＬＭＮは、非３ＧＰＰアクセスを介して、または３ＧＰＰアクセスを介して、この緊急情報を提供し得る。ＵＥは、非３ＧＰＰアクセスまたは３ＧＰＰアクセスのいずれかを介して、２つ以上の異なるＰＬＭＮに、または同一ＰＬＭＮに１回を上回って、登録し得る。その結果、ＵＥは、所与の時間において、２つの異なるアクセスを介して、同時に、１つのＰＬＭＮまたは２つの異なるＰＬＭＮに接続、登録、またはアタッチされ得る。例えば、ＵＥが、自国場所内にある場合、ＵＥは、３ＧＰＰアクセスおよび非３ＧＰＰアクセスの両方を介して、自国ＰＬＭＮに登録し得る。対照的に、海外を旅行している間、ＵＥは、非３ＧＰＰアクセスを介して、自国ＰＬＭＮに、３ＧＰＰアクセスを介して、外国（または移動先国）ＰＬＭＮに登録し得る。
【００２２】
ＰＬＭＮは、拡張ローカル緊急番号リストを、ＲＥＧＩＳＴＲＡＴＩＯＮ  ＡＣＣＥＰＴメッセージ、ＡＴＴＡＣＨ  ＡＣＣＥＰＴメッセージ、またはＴＲＡＣＫＩＮＧ  ＡＲＥＡ  ＵＰＤＡＴＥ  ＡＣＣＥＰＴメッセージ内で送信し得る。他のメッセージタイプが、拡張ローカル緊急番号リストを伝送するために使用されてもよい。拡張緊急番号リストは、情報要素（ＩＥ）内で送信されてもよい。この情報要素の目的は、１つまたは複数のローカル緊急番号を、関連付けられた緊急サービスＵＲＮのゼロ以上のサブサービスおよび有効性インジケーションを含有するサブサービスフィールドとともにエンコードする。緊急サービスＵＲＮは、「ｓｏｓ」の上位レベルサービスタイプを伴うサービスＵＲＮである。例示的情報要素は、表１内に提供される。
【表１−１】
2021521743.tif 000003
【表１−２】
2021521743.tif 000004
【表１−３】
2021521743.tif 000005
【００２３】
表１内のＩＥは、３つの緊急番号情報エントリを含む。任意の数の緊急番号情報エントリが、ＩＥの最大サイズの制約または関連仕様に定義される他の限定内において、ＩＥ内に提供されてもよい。拡張ローカル緊急番号リストは、このＩＥが受信されたセルと同一国内のネットワーク内で有効であり得る、またはそれが受信されたＰＬＭＮ内で有効であり得る。緊急情報は、有効性インジケーション（例えば、表１のオクテット４内の１つまたは複数のビットを含む。この実施例では、ビットは、ＥＥＮＬＶと名付けられる。有効性インジケーションは、値１または０（表２参照）をとり得、拡張ローカル緊急番号リストの有効性（例えば、現在のＰＬＭＮのみのために有効であること、または、ＰＬＭＮの現在の国のために有効であること）を示す。表２は、サンプル有効性インジケーションを提供する。
【表２】
2021521743.tif 000006
【００２４】
いくつかの実施形態では、ＵＥにおいて開始された緊急呼出は、好ましくは、３ＧＰＰアクセスを介して開始される。例えば、３ＧＰＰアクセスは、非３ＧＰＰアクセスより信頼性がある場所サービスを提供し得る。加えて、３ＧＰＰネットワークは、ＷＬＡＮ等の非３ＧＰＰネットワークと比較して、より広範なカバレッジを提供し得る。より広範なカバレッジは、緊急呼出を行うモバイルユーザに適している。いくつかの実施形態では、ＵＥは、緊急サービスがＩＥ（例えば、ＩＥをサポートする５ＧＳネットワーク特徴）を介して非３ＧＰＰアクセスを経由してサポートされるかどうかを示すインジケーションを、ＰＬＭＮから受信し得る。
【００２５】
現在、３ＧＰＰ  ＴＳ２４．５０１に説明されるように、ＵＥ内に記憶される拡張ローカル緊急番号リストは、拡張緊急番号リストＩＥの受信毎に置換される。これは、ＵＥが、ＵＥが現在位置するエリアに適切ではない拡張ローカル緊急番号リストを記憶する結果をもたらし得る。例えば、ＵＥは、３ＧＰＰネットワークを介して、外国内で外国ＰＬＭＮに登録し、外国のための拡張ローカル緊急番号リストを受信し得る。続いて、ＵＥは、非３ＧＰＰネットワークを介して、ＵＥが現在位置する場所と異なる国内で自国ＰＬＭＮに登録し得る。この場合、ＵＥは、ＵＥが外国（異なる国）に位置する場合でも、自国ＰＬＭＮのための拡張ローカル緊急番号リストを受信および記憶し得る。ＵＥ内に記憶される拡張ローカル緊急番号リストは、記憶された拡張緊急番号リストの有効性に応じて破棄される。記憶された拡張緊急番号リストが、ある国のために有効である場合、リストは、ＵＥがそれが異なる国にあることを検出するとき、破棄される。記憶された拡張緊急番号リストが、あるＰＬＭＮのために有効である場合、リストは、ＵＥがそれが異なるＰＬＭＮ内にあることを検出するとき、破棄される。有効性は、表２に示される有効性インジケーションに基づいて判定され得る。ローカル緊急番号リストおよび拡張ローカル緊急番号リストは、スイッチオフおよびＵＳＩＭの除去時に削除され得る。ＵＥは、ＰＬＭＮから受信された、最大１０のエントリをローカル緊急番号リスト内に、最大２０のエントリを拡張ローカル緊急番号リスト内に記憶することができる。受信された拡張ローカル緊急番号リストが記憶または破棄されるべきであるかどうかを判定するための論理をＵＥに含むことが望ましくあり得る。
【００２６】
現在、３ＧＰＰ  ＴＳ２４．３０１に説明されるように、ローカル緊急番号リストおよび拡張ローカル緊急番号リストは、サービングネットワークによって使用される付加的ローカル緊急番号を含有する。これらのリストは、登録成功および後続登録更新時に、ネットワークによってＵＥにダウンロードされ得る。１つのみのローカル緊急番号リストおよび１つのみの拡張ローカル緊急番号リストがＵＥ内に存在する。ローカル緊急番号リストは、ＵＥがＳ１モードにある場合にはＥＭＭプロシージャを用いて、ＵＥがＡ／ＧｂまたはＩｕモードにある場合にはＧＭＭおよびＭＭプロシージャを用いて、ＵＥがＮ１モードにある場合には５ＧＭＭプロシージャを用いて、更新されることができる。拡張ローカル緊急番号リストは、ＵＥがＳ１モードにある場合にはＥＭＭプロシージャを用いて、ＵＥがＮ１モードにある場合には５ＧＭＭプロシージャを用いて、更新されることができる。ＵＥは、ＵＳＩＭまたはユーザ機器上に記憶される緊急番号に加え、ネットワークから受信された記憶されたローカル緊急番号リストおよび記憶された拡張ローカル緊急番号リストを使用し、ダイヤルされた番号が緊急番号であることを検出し得る。ＵＥが、ダイヤルされた番号が緊急番号であると判定する場合、プロシージャが、緊急セッション試行のためのドメインを選択するために利用される。緊急セッション試行のために選択されたドメインが、ＰＳドメインである場合、ＵＥは、ＳＩＰ（セッション開始プロトコル）を使用して、セッション確立プロシージャを実施し、緊急セッションを開始し得る。緊急セッション試行のために選択されたドメインが、ＣＳドメインである場合、ＵＥは、ＵＳＩＭおよびＭＥ上に記憶される緊急番号に加え、記憶されたローカル緊急番号リストを使用し、ＵＥの呼出制御エンティティがＥＭＥＲＧＥＮＣＹ  ＳＥＴＵＰメッセージまたはＳＥＴＵＰメッセージをネットワークに送信すべきであるかどうかを判定し得る。ネットワークは、それぞれ、緊急番号リストＩＥおよび拡張緊急番号リストＩＥを含むことによって、ローカル緊急番号リストまたは拡張ローカル緊急番号リストもしくは両方をＡＴＴＡＣＨ  ＡＣＣＥＰＴ内でまたはＴＲＡＣＫＩＮＧ  ＡＲＥＡ  ＵＰＤＡＴＥ  ＡＣＣＥＰＴメッセージ内で送信し得る。ＵＥは、ネットワークによって提供されるようなローカル緊急番号リストおよび拡張ローカル緊急番号リストを記憶し得る。ユーザ機器内に記憶されるローカル緊急番号リストは、緊急番号リストＩＥの受信毎に置換され得る。ユーザ機器内に記憶される拡張ローカル緊急番号リストは、拡張緊急番号リストＩＥの受信毎に置換され得る。受信されたローカル緊急番号リストまたは受信された拡張ローカル緊急番号リストもしくは両方は、上位層に提供され得る。緊急番号リストＩＥおよび拡張緊急番号リストＩＥ内で受信された緊急番号は、このＩＥが受信されたセルと同一国内のネットワーク内でのみ有効である。ローカル緊急番号リストまたは拡張ローカル緊急番号リストが、ＡＴＴＡＣＨ  ＡＣＣＥＰＴ内にまたはＴＲＡＣＫＩＮＧ  ＡＲＥＡ  ＵＰＤＡＴＥ  ＡＣＣＥＰＴメッセージ内に含有されない場合、それぞれ、ユーザ機器内に記憶されたローカル緊急番号リストま���は拡張ローカル緊急番号リストは、ユーザ機器が、リストを送信したＰＬＭＮのものと異なる国内のＰＬＭＮへの登録に成功する場合を除き、保たれ得る。ローカル緊急番号リストおよび拡張ローカル緊急番号リストは、スイッチオフおよびＵＳＩＭの除去時に削除され得る。ＵＥは、ネットワークから受信された、最大１０のエントリをローカル緊急番号リスト内に、最大２０のエントリを拡張ローカル緊急番号リスト内に記憶することが可能であり得る。
【００２７】
上記に説明されるように、ＵＥは、異なるアクセスを介して、２つの異なるＰＬＭＮに接続することができ、ＵＥが２つの異なるＰＬＭＮに同時に登録される結果をもたらす。図１では、ＵＥは、ステップ１において、ＰＬＭＮ  Ａに登録中、第１の緊急情報を受信し得る。続いて、ステップ３では、ＵＥは、第２の緊急情報を受信し得る。第１の緊急情報は、第２の緊急情報と同一または異なり得る。ブロック２および４では、ＵＥは、受信または記憶された緊急情報を記憶する、上書きする、置換する、クリアする、または破棄するかどうかを決定する必要がある。ブロック４では、ブロック２において記憶された緊急情報は、上書きされ得る、置換され得る、クリアされ得る、または破棄され得る。現在、拡張ローカル緊急番号リストが、ステップ３において受信されていない場合、ＵＥ上に現在記憶されている拡張ローカル緊急番号リストは、保たれ得ない；それは、クリアされ得る、メモリから除去され得る、破棄され得る、または、リストの長さが、ゼロに設定され得る。続いて、ステップ４では、ＵＥは、次いで、緊急呼出番号の検出に失敗し得、これは、緊急サービスの取得の失敗または緊急サービスの要求の遅延を生じさせ得る。
【００２８】
代替として、ステップ１においてＰＬＭＮ  Ａから受信されたＵＥ上に記憶された拡張ローカル緊急番号リストは、ステップ３において非３ＧＰＰアクセスを介して受信されたＰＬＭＮ  Ｂからの拡張ローカル緊急番号リストで上書きされ得る。続いて、ステップ４では、ＵＥは、誤ったＰＬＭＮ（ＰＬＭＮ  Ｂ）からの緊急呼出番号にコンタクトするように試行し得、これは、緊急サービスの取得の失敗または緊急サービスの要求の遅延を生じさせ得る。いくつかの場合には、同一国内のＰＬＭＮは、例えば、拡張緊急番号リストが、それが受信されたＰＬＭＮ内においてのみ有効である場合に（本明細書の「有効性インジケーション」の議論参照）、異なる緊急情報を提供し得る。他の場合では、ＰＬＭＮ  Ｂは、ＵＥがある国に対して異なる国のＰＬＭＮであり得る。受信された拡張ローカル緊急番号リストが記憶されるべきであるかまたは破棄されるべきであるかどうかを判定する論理をＵＥに含むことが望ましくあり得る。
【００２９】
以下の実施形態では、拡張ローカル緊急番号リストまたは緊急情報が受信されたときに介したアクセスのインジケーションが、記憶され得る。アクセスのこのインジケーションは、記憶された拡張ローカル緊急番号とともに記憶され得る。代替として、非３ＧＰＰアクセスを介してメッセージ内で受信された拡張ローカル緊急番号は、３ＧＰＰアクセスを介して受信された拡張ローカル緊急番号を記憶したリストと別個のリスト内に記憶されてもよい。
【００３０】
第１の実施形態では、ユーザ機器内に記憶される拡張ローカル緊急番号リストは、ユーザ機器内に記憶される拡張ローカル緊急番号リストが、３ＧＰＰアクセスを介して受信され、記憶された拡張ローカル緊急番号リストが、それが受信されたＰＬＭＮ内で有効ではない限り、受信された拡張緊急番号リストＩＥが、非３ＧＰＰアクセスを経由して受信されない限り、および、非３ＧＰＰアクセスを介して登録されたＰＬＭＮが、そこから記憶された拡張ローカル緊急番号リストが受信されたＰＬＭＮと異ならない限り、拡張緊急番号リストＩＥの受信毎に置換され得る。
【００３１】
図２は、第１の実施形態の代替のフローチャートを提供する。フローは、ステップ２１０から開始し、拡張ローカル緊急番号リストが受信される。以下の４つの条件２２０、２３０、２４０、２５０が、任意の順序で判定され得、これらの条件のうちの１つまたは複数のものが、ステップ２６０において受信されたリストを記憶するために、または、記憶されたリストを受信されたリストで置換または上書きするために、満たされなければならない。そうでなければ、受信されたリストは、ステップ２７０において破棄され得る、または、記憶されたリストと別個に記憶され得る。１）記憶されたリストが、３ＧＰＰアクセスを介して受信された、２）記憶されたリストが、それが受信されたＰＬＭＮ内で有効である、３）受信された拡張ローカル緊急番号リストが、非３ＧＰＰアクセスを介して受信された、または４）受信された拡張ローカル緊急番号リストが受信されたＰＬＭＮが、記憶された拡張ローカル緊急番号リストのＰＬＭＮと異なる。
【００３２】
第１の実施形態は、第１のアクセスを介して受信された第１のローカル緊急番号リストをＵＥに記憶することを含み得る。ＵＥは、次いで、第２のアクセスを介して、第２のローカル緊急番号リストを受信し得る。第２のアクセスが、第１のアクセスと異なるとき、ＵＥは、第１のローカル緊急番号リストを置換することなく、第２のローカル緊急番号リストを破棄し得る。
【００３３】
第１のローカル緊急番号リストは、第１のＰＬＭＮから受信され得、第２のローカル緊急番号リストは、第２のＰＬＭＮから受信され得、ＵＥは、第１のＰＬＭＮが第２のＰＬＭＮと異なることを判定し得、第２のローカル緊急番号リストを破棄し得る。
【００３４】
ＵＥが、第１のローカル緊急番号リストを記憶すると、ＵＥはまた、有効性インジケータを記憶し得る。ＵＥは、第１のローカル緊急番号リストがそれが受信されたＰＬＭＮ内で有効であることを有効性インジケータが示すとき、第２のローカル緊急番号リストを破棄し得る。
【００３５】
第１のアクセスは、３ＧＰＰアクセスであり得、第２のアクセスは、非３ＧＰＰアクセスであり得る。
【００３６】
第２の実施形態では、ＵＥは、非３ＧＰＰアクセスを介して、拡張緊急番号リストＩＥとともに、ＲＥＧＩＳＴＲＡＴＩＯＮ  ＡＣＣＥＰＴメッセージを受信し得る。記憶される拡張緊急番号リストが、それが受信されたＰＬＭＮ内で有効である場合、または、ＲＥＧＩＳＴＲＡＴＩＯＮ  ＡＣＣＥＰＴメッセージの拡張緊急番号リストＩＥが、それが受信されたＰＬＭＮ内で有効である場合、ＵＥは、受信された拡張ローカル緊急番号リストを非３ＧＰＰ拡張ローカル緊急番号リスト内に記憶する。
【００３７】
続いて、第２の実施形態の強化として、ＵＥが、非３ＧＰＰアクセスを通してＰＬＭＮに接続されるとき、３ＧＰＰアクセスを通して任意のＰＬＭＮに登録されないとき、３ＧＰＰアクセスを通して任意のＰＬＭＮの容認可能セル上にキャンプされる限定されたサービス状態にないとき、または、非３ＧＰＰアクセスを経由して受信されたローカル緊急番号のモバイル国コード（ＭＣＣ）情報がＵＥが位置する国に対応すると判定することができるとき、ＵＥは、ＵＥ開始緊急呼出の検出のために、記憶された非３ＧＰＰローカル緊急番号を上位層に提供する。
【００３８】
図３Ａは、第２の実施形態の代替のフロー図である。フローは、ステップ３１０から開始し、拡張緊急番号リストが、非３ＧＰＰアクセスを介して受信される。ＵＥは、ステップ３２０または３３０において、現在記憶されている拡張緊急番号リストがそれが受信されたＰＬＭＮ内で有効である場合、または、受信された拡張緊急番号リストがそれが受信されたＰＬＭＮ内で有効である場合、受信された拡張緊急番号リストを非３ＧＰＰリスト内に記憶すると判定し得る。この場合、２つの拡張緊急番号リストが、ステップ３４０においてＵＥ上に記憶される。
【００３９】
図３Ｂは、第２の実施形態の代替の強化のフロー図である。図３Ａのステップに続いて、ステップ３８０では、以下の基準３６０、３６２、３６４、３６６のいずれかが満たされるとき、すなわち、１）ＵＥが、非３ＧＰＰアクセスを通してＰＬＭＮに接続されること、２）ＵＥが、３ＧＰＰアクセスを通して任意のＰＬＭＮに登録されていないこと、３）ＵＥが、３ＧＰＰアクセスを通して任意のＰＬＭＮの容認可能セル上にキャンプされる限定されたサービス状態にないこと、または４）非３ＧＰＰリスト内に記憶されるローカル緊急番号のＭＣＣ情報がＵＥが位置する国に対応するとＵＥが判定することのいずれかが満たされるとき、非３ＧＰＰリストが、緊急呼出検出または緊急呼出設定のために使用される。そうでなければ、３ＧＰＰアクセスを介して受信されたリストは、ステップ３９０において使用され得る。
【００４０】
第２の実施形態では、ＵＥは、第１のアクセスを介して受信された第１のローカル緊急番号リストを記憶し得る。ＵＥは、次いで、第２のアクセスを介して、第２のローカル緊急番号リストを受信し得る。第２のアクセスが、第１のアクセスと異なる場合、ＵＥは、第２のローカル緊急番号リストを記憶し得る。
【００４１】
第１のローカル緊急番号リストは、第１のアクセスを介したＮＡＳ登録プロシージャまたは第１のアクセスを介したＮＡＳ登録更新プロシージャのうちの１つを使用して受信され得、第２のローカル緊急番号リストは、第２のアクセスを介したＮＡＳ登録プロシージャまたは第２のアクセスを介したＮＡＳ登録更新プロシージャのうちの１つを使用して受信され得る。
【００４２】
第１のアクセスを介したＮＡＳ登録プロシージャは、ＲＥＧＩＳＴＲＡＴＩＯＮ  ＡＣＣＥＰＴメッセージまたはＡＴＴＡＣＨ  ＡＣＣＥＰＴメッセージのうちの１つを受信することを含み得、第１のアクセスを介したＮＡＳ登録更新プロシージャは、ＲＥＧＩＳＴＲＡＴＩＯＮ  ＡＣＣＥＰＴメッセージまたはＴＲＡＣＫＩＮＧ  ＡＲＥＡ  ＵＰＤＡＴＥ  ＡＣＣＥＰＴメッセージのうちの１つを受信することを含み得る。
【００４３】
第２のアクセスを介したＮＡＳ登録プロシージャは、ＲＥＧＩＳＴＲＡＴＩＯＮ  ＡＣＣＥＰＴメッセージを受信することを含み得る、または、第２のアクセスを介したＮＡＳ登録更新プロシージャは、ＲＥＧＩＳＴＲＡＴＩＯＮ  ＡＣＣＥＰＴメッセージを受信することを含み得る。ＮＡＳ登録プロシージャは、ＲＥＧＩＳＴＲＡＴＩＯＮ  ＡＣＣＥＰＴメッセージまたはＡＴＴＡＣＨ  ＡＣＣＥＰＴメッセージのうちの１つを受信することを含み得、ＮＡＳ登録更新プロシージャは、ＲＥＧＩＳＴＲＡＴＩＯＮ  ＡＣＣＥＰＴメッセージまたはＴＲＡＣＫＩＮＧ  ＡＲＥＡ  ＵＰＤＡＴＥ  ＡＣＣＥＰＴメッセージのうちの１つを受信することを含み得る。
【００４４】
第１のローカル緊急番号リストを記憶することは、インジケータを記憶することを含み得、第２のローカル緊急番号リストを記憶することは、第１のローカル緊急番号リストがそれが受信されたＰＬＭＮ内で有効であることをインジケータが示すと判定することを含み得る。
【００４５】
ＵＥは、以下のうちの少なくとも１つが真であるとき、すなわち、１）ＵＥが、第２のアクセスを介して第１のＰＬＭＮに接続されること、２）ＵＥが、第１のアクセスを介して任意のＰＬＭＮに登録されないこと、３）ＵＥが、限定されたサービス状態にないこと、または４）第２のローカル緊急番号リストと関連付けられた国情報が、ＵＥが位置する国に合致することのうちの少なくとも１つが真であるとき、緊急番号の検出のために、第２のローカル緊急番号リストを提供し得る、または、第２のローカル緊急番号リストを使用して、ＵＥ開始緊急呼出もしくはセッションを試行し得る。
【００４６】
代替として、緊急番号の検出のために第２のローカル緊急番号リストを提供すること、または、第２のローカル緊急番号リストを使用してＵＥ開始緊急呼出もしくはセッションを試行することに先立って第２のローカル緊急番号リストを記憶する代わりに、ＵＥは、第２のローカル緊急番号リストを条件付きで取得し得る。第２のローカル緊急番号リストは、以下の条件のうちの少なくとも１つが真であるとき、すなわち、１）ＵＥが、第２のアクセスを介して第１のＰＬＭＮに接続されること、２）ＵＥが、第１のアクセスを介して任意のＰＬＭＮに登録されないこと、３）ＵＥが、限定されたサービス状態にないこと、または４）第２のローカル緊急番号リストと関連付けられた国情報が、ＵＥが位置する国に合致することのうちの少なくとも１つが真であるとき、取得され得る。ＵＥは、条件のうちの少なくとも１つが真であるとき、第２のアクセスを介して第１のメッセージを受信することによって、第２のローカル緊急番号リストを取得し得る。ＵＥは、第１のメッセージを受信することに先立って、第２のメッセージを送信し得る。第１のメッセージおよび第２のメッセージは、ＮＡＳメッセージであり得る。ＮＡＳメッセージは、登録プロシージャの一部または構成更新プロシージャの一部であり得る。構成更新プロシージャは、ＡＭＦが、新しいパラメータ情報を提供することによってＡＭＦによって決定および提供されるアクセスおよびモビリティ管理関連パラメータのためにＵＥ構成を更新することを可能にする。
【００４７】
ＵＥは、緊急番号の検出のために、第２のローカル緊急番号リストを提供し得る、または、第２のローカル緊急番号リストを使用して、ＵＥ開始緊急呼出もしくはセッションを試行し得る。
【００４８】
ＵＥは、非３ＧＰＰアクセスのための緊急サービスサポートインジケータ（ＥＭＣＷ）が、緊急サービスが非３ＧＰＰアクセスを経由してサポートされることを示すとき、第２のローカル緊急番号リストを提供し得る。
【００４９】
ＵＥは、第２のローカル緊急番号リストをＵＥの上位層に提供し得る。ＵＥの上位層は、例えばインターネットプロトコル（ＩＰ）マルチメディアサブシステム（ＩＭＳ）層を含む層を備え得る。上位層は、ＮＡＳプロシージャを備える層の上方にあり得る。
【００５０】
第３の実施形態では、ＲＥＧＩＳＴＲＡＴＩＯＮ  ＡＣＣＥＰＴメッセージが、非３ＧＰＰアクセスを介して、異なる国内のＰＬＭＮから受信される場合、ＵＥは、記憶されたローカル緊急番号リストまたは記憶された拡張ローカル緊急番号リスト（集合的に、本明細書では、記憶された緊急情報とも称される）を保ち得る。
【００５１】
図４は、第３の実施形態の代替のフロー図である。フローは、ステップ４１０から開始し、ＵＥは、拡張ローカル緊急番号リストを受信する。ステップ４２０では、ＵＥは、拡張ローカル緊急番号リストを送信したＰＬＭＮの国情報が、ＵＥが位置する国に合致するかどうかを判定し得る。ステップ４３０では、国情報が、合致しない場合、記憶された緊急情報は、更新されない、または、受信された緊急情報は、破棄され得る。
【００５２】
第３の実施形態では、ＵＥは、第１のアクセスを介して受信された第１のローカル緊急番号リストを記憶し得る。ＵＥは、次いで、第２のアクセスを介して、第２のローカル緊急番号リストをＰＬＭＮから受信し得る。ＰＬＭＮと関連付けられた国情報が、ＵＥが位置する国に合致しない場合、ＵＥは、第１のローカル緊急番号リストを保ち得る。加えて、ＵＥは、第２のローカル緊急番号リストを破棄し得るまたは記憶しなくてもよい。第２のアクセスは、非３ＧＰＰアクセスであり得、第１のアクセスは、３ＧＰＰアクセスであり得る。
【００５３】
第３の実施形態の代替では、ＵＥは、第２のローカル緊急番号リストを受信することに先立って、第１のローカル緊急番号リストを記憶しなくてもよい。ＵＥは、第２のアクセスを介して、第２のローカル緊急番号リストをＰＬＭＮから受信し得る。ＰＬＭＮと関連付けられた国情報が、ＵＥが位置する国に合致しない場合、ＵＥは、第２のローカル緊急番号リストを破棄し得るまたは記憶しなくてもよい。第２のアクセスは、非３ＧＰＰアクセスであり得、第１のアクセスは、３ＧＰＰアクセスであり得る。
【００５４】
第４の実施形態では、ＲＥＧＩＳＴＲＡＴＩＯＮ  ＡＣＣＥＰＴメッセージ内の非３ＧＰＰアクセスのための緊急サービスサポートインジケータ（ＥＭＣＷ）が、緊急サービスが非３ＧＰＰアクセスを経由してサポートされないことを示す場合、ＵＥは、記憶されたローカル緊急番号リストまたは拡張ローカル緊急番号リストを保つ、または留保する、もしくは破棄しなくてもよい。
【００５５】
図５は、第４の実施形態の代替のフロー図である。フローは、ステップ５１０から開始し、ＵＥは、拡張ローカル緊急番号リストを受信する。ステップ５２０では、ＵＥは、ＥＭＣＷインジケータが、非３ＧＰＰ緊急サービスがサポートされないことを示すかどうかを判定し得る。ステップ５３０では、ＥＭＣＷインジケータが、非３ＧＰＰ緊急サービスがサポートされないことを示す場合、記憶された拡張ローカル緊急番号リストは、保たれる。
【００５６】
第４の実施形態では、ＵＥは、第１のアクセスを介して受信された第１のローカル緊急番号リストを記憶し得る。ＵＥは、次いで、第２のアクセスを介して、第２のローカル緊急番号リストと、非３ＧＰＰアクセスのための緊急サービスサポートインジケータ（ＥＭＣＷ）とを受信し得る。ＥＭＣＷが、緊急サービスが非３ＧＰＰアクセスを経由してサポートされないことを示す場合、ＵＥは、第１のローカル緊急番号リストを保ち得る。ＵＥは、第２のローカル緊急番号リストを破棄し得るまたは記憶しなくてもよい。いくつかの場合には、ＵＥは、第２のローカル緊急番号リストを受信することに先立って、第１のローカル緊急番号リストを記憶しなくてもよい。第２のアクセスは、非３ＧＰＰアクセスであり得、第１のアクセスは、３ＧＰＰアクセスであり得る。
【００５７】
第５の実施形態では、ＲＥＧＩＳＴＲＡＴＩＯＮ  ＡＣＣＥＰＴメッセージが、非３ＧＰＰアクセスを介して、ＰＬＭＮから受信され、ＰＬＭＮが、ＵＥが位置する国に対応するＭＣＣ情報を有し、ＵＥが、３ＧＰＰアクセスを介して受信された記憶されたローカル緊急番号リストまたは拡張ローカル緊急番号リストを有していない場合、ＵＥは、第２のローカル緊急番号リストまたは第２の拡張ローカル緊急番号リストが、それぞれ、ＲＥＧＩＳＴＲＡＴＩＯＮ  ＡＣＣＥＰＴメッセージ内に含まれる場合、第２のローカル緊急番号リストまたは第２の拡張ローカル緊急番号リストを記憶し得る。
【００５８】
図６は、第５の実施形態のフロー図である。フローは、ステップ６１０から開始し、ＵＥは、緊急番号リストを非３ＧＰＰアクセスから受信する。ステップ６２０および６３０では、ＵＥは、以前に記憶されたリストが存在するかどうかと、受信された緊急番号リストが、ＵＥが位置する国に対応するＭＣＣ情報を伴うＰＬＭＮからのものであるかどうかとを判定し得る。この場合、ＵＥが、以前に記憶された緊急番号リストを有していない場合、ＵＥは、ステップ６４０において、受信された緊急番号リストを記憶し得る。
【００５９】
第５の実施形態では、ＵＥは、第２のアクセスを介して、第１のローカル緊急番号リストをＰＬＭＮから受信し得る。ＵＥは、次いで、第１の判定を実施し得、第１の判定は、第１のアクセスを介して受信された第１のローカル緊急番号リストが不在であることを判定することを含む。ＵＥは、次いで、第２の判定を実施し得、第２の判定は、ＰＬＭＮと関連付けられた国情報が、ＵＥが位置する国に合致することを判定することを含む。第１の判定および第２の判定が真である場合、ＵＥは、第１のローカル緊急番号リストを記憶し得る。第２のアクセスは、非３ＧＰＰアクセスであり得、第１のアクセスは、３ＧＰＰアクセスであり得る。ＵＥは、記憶された第１のローカル緊急番号リストをＵＥの上位層にさらに提供し得る。
【００６０】
先行実施形態のうちのいくつかでは、拡張緊急番号リストＩＥが、ＲＥＧＩＳＴＲＡＴＩＯＮ  ＡＣＣＥＰＴメッセージ、ＡＴＴＡＣＨ  ＡＣＣＥＰＴメッセージ、またはＴＲＡＣＫＩＮＧ  ＡＲＥＡ  ＡＣＣＥＰＴメッセージ内に含有されない場合、ユーザ機器内の記憶された拡張ローカル緊急番号リストは、ユーザ機器が、記憶されたリストを送信したＰＬＭＮのものと異なる国内のＰＬＭＮへの登録に成功していない限り、保たれ得る。
【００６１】
加えて、先行実施形態のうちのいくつかでは、拡張緊急番号リストＩＥ内の拡張緊急番号リスト有効性（ＥＥＮＬＶ）インジケータが、拡張緊急番号リストが、リストが受信されたＰＬＭＮ内で有効であることを示す場合、拡張ローカル緊急番号リストは、リストを送信したＰＬＭＮのものと異なるＰＬＭＮへの登録にユーザ機器が成功しているとき、破棄され得る。
【００６２】
いくつかの実施形態では、非３ＧＰＰアクセスを介して受信された拡張ローカル緊急番号リストは、スイッチオフ時に削除され得る。非３ＧＰＰアクセスを介して受信された拡張ローカル緊急番号リストは、ＵＳＩＭの除去に応じて削除される必要はない。
【００６３】
いくつかの実施形態では、拡張緊急番号リスト有効性（ＥＥＮＬＶ）インジケータは、拡張ローカル緊急番号リスト有効性（ＥＬＥＮＬＶ）インジケータまたはその他としても知られ得る。拡張緊急番号リストは、拡張ローカル緊急番号リストとして知られ得る。
【００６４】
以下は、ローカル緊急番号のハンドリングのための先行実施形態の例示的組み合わせを説明する。
【００６５】
ネットワークは、それぞれ、緊急番号リストＩＥおよび拡張緊急番号リストＩＥを含むことによって、ローカル緊急番号リストまたは拡張ローカル緊急番号リストもしくは両方をＲＥＧＩＳＴＲＡＴＩＯＮ  ＡＣＣＥＰＴメッセージ内で送信し得る。ローカル緊急番号リストは、以下の例外を伴って、３ＧＰＰ  ＴＳ２４．３０１、第５．３．７項に説明されるように更新されることができる。
【００６６】
ＲＥＧＩＳＴＲＡＴＩＯＮ  ＡＣＣＥＰＴメッセージが、非３ＧＰＰアクセスを介して受信され、メッセージが、ローカル緊急番号リストまたは拡張ローカル緊急番号リストもしくは両方を含み、１）そこからリストが受信されたＰＬＭＮが、ＵＥが位置する国と異なる国内にある、または２）ＲＥＧＩＳＴＲＡＴＩＯＮ  ＡＣＣＥＰＴメッセージ内の非３ＧＰＰアクセスのための緊急サービスサポートインジケータ（ＥＭＣＷ）が、緊急サービスが非３ＧＰＰアクセスを経由してサポートされないことを示す場合、ＵＥは、リストを破棄する。
【００６７】
そうでなければ、ＲＥＧＩＳＴＲＡＴＩＯＮ  ＡＣＣＥＰＴメッセージが、非３ＧＰＰアクセスを介して受信され、メッセージが、拡張ローカル緊急番号リストを含み、１）拡張緊急番号リストＩＥ内のＥＥＮＬＶインジケータが、拡張緊急番号リストが、リストが受信されたこのＰＬＭＮ内で有効であることを示す場合、ＵＥは、非３ＧＰＰアクセスを介して受信された拡張ローカル緊急番号リスト内に拡張ローカル緊急番号リストを記憶し得、２）拡張緊急番号リストが、ＵＥがＳ１モードにあるとき、ＥＭＭプロシージャを用いてそれを受信するに起因して、更新される必要がある場合（３ＧＰＰ  ＴＳ２４．３０１、第５．３．７項に説明されるように）、ＵＥは、非３ＧＰＰアクセスを介して受信された拡張ローカル緊急番号リストを更新しなくてもよい。
【００６８】
代替として、ユーザ機器は、ネットワークによって提供されるようなローカル緊急番号リストおよび拡張ローカル緊急番号リストを記憶し得る。ユーザ機器内に記憶される、３ＧＰＰアクセスを介して受信されたローカル緊急番号リストは、３ＧＰＰアクセスを介して受信された緊急番号リストＩＥの受信毎に置換され得る。ユーザ機器内に記憶される拡張ローカル緊急番号リストは、拡張緊急番号リストＩＥの受信毎に置換され得る。３ＧＰＰアクセスを介して受信された、受信されたローカル緊急番号リストまたは受信された拡張ローカル緊急番号リストもしくは両方は、上位層に提供され得る。
【００６９】
緊急番号リストＩＥおよび拡張緊急番号リストＩＥ内で受信された緊急番号は、このＩＥが受信されたセルと同一国内のネットワーク内でのみ有効である。緊急番号リストＩＥまたは拡張緊急番号リストＩＥが、ＲＥＧＩＳＴＲＡＴＩＯＮ  ＡＣＣＥＰＴメッセージ内に含有されない場合、それぞれ、ユーザ機器内における、３ＧＰＰアクセスを介して受信された記憶されたローカル緊急番号リスト、または、３ＧＰＰアクセスを介して受信された記憶された拡張ローカル緊急番号リストは、ユーザ機器が、リストを送信したＰＬＭＮのものと異なる国内のＰＬＭＮへの登録に成功している場合を除き、保たれ得る。加えて、拡張緊急番号リストＩＥ内の記憶された拡張緊急番号リスト有効性（ＥＥＮＬＶ）インジケータが、拡張緊急番号リストが、リストが受信されたこのＰＬＭＮ内で有効であることを示す場合、記憶された拡張ローカル緊急番号リストは、ユーザ機器が、このリストを送信したＰＬＭＮのものと異なるＰＬＭＮへの登録に成功しているとき、破棄され得る。
【００７０】
３ＧＰＰアクセスを介して受信された、ローカル緊急番号リストおよび拡張ローカル緊急番号リストは、スイッチオフおよびＵＳＩＭの除去時に削除され得る。非３ＧＰＰアクセスを介して受信された拡張ローカル緊急番号リストは、スイッチオフ時に削除され得る。ユーザ機器は、ネットワークから受信された、最大１０のエントリをローカル緊急番号リスト内に、最大２０エントリを拡張ローカル緊急番号リストのそれぞれ内に記憶することが可能であり得る。
【００７１】
代替として、３ＧＰＰアクセスを介してＵＥによって受信された、ローカル緊急番号リストおよび拡張ローカル緊急番号リストの使用に関しては、３ＧＰＰ  ＴＳ２４．３０１、第５．３．７項を参照されたい。ＵＥが、非３ＧＰＰアクセスを介して受信された拡張ローカル緊急番号リストを有するとき、非３ＧＰＰアクセスを通してＰＬＭＮに接続されるとき、３ＧＰＰアクセスを通して任意のＰＬＭＮに登録されないとき、３ＧＰＰアクセスを通して任意のＰＬＭＮの容認可能セル上にキャンプされる限定されたサービス状態にないとき、または、非３ＧＰＰアクセスを経由して受信されたローカル緊急番号のＭＣＣ情報が、ＵＥが位置する国に対応することを判定することができるとき、ＵＥは、ＵＥ開始緊急呼出の検出のために、非３ＧＰＰアクセスを介して受信された拡張ローカル緊急番号リストを上位層に提供し得る。非３ＧＰＰアクセスを介してＵＥによって受信されたローカル緊急番号リストおよび拡張ローカル緊急番号リストの使用に関しては、拡張ローカル緊急番号リストが、非３ＧＰＰアクセスを介して受信された拡張ローカル緊急番号リストであることの分類を伴う、３ＧＰＰ  ＴＳ２４．３０１、第５．３．７項を参照されたい。
【００７２】
図７は、５Ｇネットワークアーキテクチャの概要を提供する。アクセスおよびモビリティ管理機能（ＡＭＦ）は、以下の機能性を含む。ＡＭＦ機能性のいくつかまたは全ては、ＡＭＦの単一インスタンスにおいてサポートされ得、すなわち、無線アクセスネットワーク（ＲＡＮ）制御プレーン（ＣＰ）インターフェース（Ｎ２）の終端、非アクセス層（ＮＡＳ）（Ｎ１）の終端、ＮＡＳ暗号化および完全性保護、登録管理、接続管理、到達可能性管理、モビリティ管理、合法的傍受（ＬＩ）（ＡＭＦイベントおよびＬＩシステムとのインターフェースのため）、ショートメッセージ（ＳＭ）メッセージをルーティングするための透過型プロキシ、アクセス認証、アクセス認可、セキュリティアンカ機能（ＳＥＡ）（ＡＵＳＦおよびＵＥと相互作用し、ＵＥ認証プロセスの結果として確立された中間キーを受信する）である。ユニバーサル加入者識別モジュール（ＵＳＩＭ）ベースの認証の場合、ＡＭＦは、認証サーバ機能（ＡＵＳＦ）であるセキュリティコンテキスト管理（ＳＣＭ）から、セキュリティ材料を読み出す。ＳＣＭは、それが使用するＳＥＡからキーを受信し、アクセス−ネットワーク特有キーを導出する。ネットワーク機能の数にかかわらず、ＵＥとＣＮとの間には、アクセスネットワークあたり１つのみのＮＡＳインターフェースインスタンスが存在し、少なくともＮＡＳセキュリティおよびモビリティ管理を実装するネットワーク機能のうちの１つで終端される。上記に説明されるＡＭＦの機能性に加え、ＡＭＦは、非３ＧＰＰアクセスネットワークをサポートするために、以下の機能性を含み得る、すなわち、非３ＧＰＰインターワーキング機能（Ｎ３ＩＷＦ）とのＮ２インターフェースのサポートである（このインターフェースを経由して、３ＧＰＰアクセスを経由して定義された一部の情報（例えば、３ＧＰＰセル識別）およびプロシージャ（例えば、ハンドオーバ関連）は、適用され得ず、Ｎ３ＩＷＦを経由したＵＥとのＮＡＳシグナリングの３ＧＰＰアクセスサポートに適用されない非３ＧＰＰアクセス特有情報が、適用され得る）。３ＧＰＰアクセスを経由したＮＡＳシグナリングによってサポートされるいくつかのプロシージャは、非信頼非３ＧＰＰ（例えば、ページング）アクセスに適用可能ではない場合がある、すなわち、Ｎ３ＩＷＦを経由して接続されるＵＥの認証のサポート、非３ＧＰＰアクセスを介して接続されるまたは３ＧＰＰおよび非３ＧＰＰアクセスを同時に介して接続されるＵＥのモビリティおよび認証／セキュリティコンテキスト状態の管理、３ＧＰＰおよび非３ＧＰＰアクセスを経由して有効となる協調されたＲＭ管理コンテキストのサポート、非３ＧＰＰアクセスを経由したコネクティビティのためのＵＥのための専用ＣＭ管理コンテキストのサポートである。機能性の全てが、ネットワークスライスのインスタンスにおいてサポートされるために要求されるわけではない。セッション管理機能（ＳＭＦ）は、以下の機能性を含む。ＳＭＦ機能性のいくつかまたは全ては、ＳＭＦの単一インスタンスにおいてサポートされ得る。ユーザプレーン機能（ＵＰＦ）は、以下の機能性を含む。ＵＰＦ機能性のいくつかまたは全ては、ＵＰＦの単一インスタンスにおいてサポートされ得る。統合されたデータ管理（ＵＤＭ）は、以下の機能性、すなわち、認証証明書リポジトリおよび処理機能（ＡＲＰＦ）をサポートする（この機能は、ＡＫＡのための認証において使用される長期セキュリティ証明書を記憶し、サブスクリプション情報を記憶する）。ユーザデータリポジトリ（ＵＤＲ）は、ＵＤＭ内に存在し得る。ＵＤＭとＨＳＳとの間の相互作用は、実装特有である。
【００７３】
図８は、５Ｇネットワークにおける登録プロセスの実施形態の略図である。ステップの一部は、下記に説明される。
【００７４】
１．     ＵＥ→（Ｒ）ＡＮ：ＡＮメッセージ（ＡＮパラメータ、登録要求（登録タイプ、ＳＵＣＩまたは５Ｇ−ＧＵＴＩ（グローバルに一意の一時的識別）もしくはプログラマブルイベントインターフェース（ＰＥＩ）、最後の移動先ＴＡＩ（利用可能である場合）、セキュリティパラメータ、要求されるネットワークスライス選択補助情報（ＮＳＳＡＩ）、［要求されるＮＳＳＡＩのマッピング］、ＵＥ  ５ＧＣ能力、ＰＤＵセッションステータス、アクティブ化されるべきＰＤＵセッションのリスト、継続要求、ＭＩＣＯモード選好、要求されるＤＲＸパラメータ、アタッチプロシージャの間の要求タイプフラグ「ハンドオーバ」のＵＥサポート）、およびＰＳＩのリスト）。
【００７５】
２．（Ｒ）ＡＮがＡＭＦを選択する。
【００７６】
３．（Ｒ）ＡＮ→新しいＡＭＦ：Ｎ２メッセージ（Ｎ２パラメータ、（ステップ１に説明されるような）登録要求、ならびにＵＥアクセス選択およびＰＤＵセッション選択情報）。
【００７７】
ＮＧ−ＲＡＮが、使用されるとき、Ｎ２パラメータは、選択されたＰＬＭＮ  ＩＤ、場所情報、セル識別、およびＵＥがキャンプしているセルに関連するＲＡＴタイプを含む。
【００７８】
ＮＧ−ＲＡＮが、使用されるとき、Ｎ２パラメータはまた、確立原因を含む。
【００７９】
要求されるＮＳＳＡＩのマッピングは、利用可能である場合のみ提供される。
【００８０】
ＵＥによって示される登録タイプが、周期的登録更新である場合、ステップ４〜２０は、省略され得る。
【００８１】
１４ａ−ｂ．ＡＭＦが、最後の登録プロシージャ以降に変化した場合、または、ＵＥが、ＡＭＦ内の有効コンテキストを参照しないＳＵＰＩを提供する場合、または、ＵＥが、それがすでに非３ＧＰＰアクセスに登録している同一ＡＭＦに登録する（すなわち、ＵＥが、非３ＧＰＰアクセスを経由して登録されており、３ＧＰＰアクセスを追加するためにこの登録プロシージャを開始する）場合、新しいＡＭＦは、Ｎｕｄｍ＿ＵＥＣＭ＿Ｒｅｇｉｓｔｒａｔｉｏｎを使用して、ＵＤＭに登録し、ＵＤＭがこのＡＭＦを登録解除するときに通知されるようにサブスクライブする。ＵＤＭは、アクセスタイプと関連付けられたＡＭＦ識別を記憶し、他のアクセスタイプと関連付けられたＡＭＦ識別を除去しない。ＵＤＭは、Ｎｕｄｒ＿ＵＤＭ＿ＵｐｄａｔｅによってＵＤＲ内への登録時に提供される情報を記憶し得る。
【００８２】
ＡＭＦは、Ｎｕｄｍ＿ＳＤＭ＿Ｇｅｔを使用して、ＳＭＦデータ内のアクセスおよびモビリティサブスクリプションデータ、ＳＭＦ選択サブスクリプションデータ、およびＵＥコンテキストを読み出す。これは、ＵＤＭがＮｕｄｒ＿ＵＤＭ＿ＱｕｅｒｙによってＵＤＲからこの情報を読み出し得ることを要求する。応答成功が受信された後、ＡＭＦは、要求されるデータが修正されると、Ｎｕｄｍ＿ＳＤＭ＿Ｓｕｂｓｃｒｉｂｅを使用して通知されるようにサブスクライブし、ＵＤＭは、Ｎｕｄｒ＿ＵＤＭ＿ＳｕｂｓｃｒｉｂｅによってＵＤＲをサブスクライブし得る。ＧＰＳＩは、ＧＰＳＩがＵＥサブスクリプションデータ内で利用可能である場合、ＵＤＭからのアクセスおよびモビリティサブスクリプションデータ内のＡＭＦに提供される。
【００８３】
新しいＡＭＦは、それがＵＥのためにサーブするアクセスタイプをＵＤＭに提供し、アクセスタイプは、「３ＧＰＰアクセス」に設定される。ＵＤＭは、Ｎｕｄｒ＿ＵＤＭ＿Ｕｐｄａｔｅによって、サービングＡＭＦとともに、関連付けられたアクセスタイプをＵＤＲ内に記憶する。
【００８４】
新しいＡＭＦは、アクセスおよびモビリティサブスクリプションデータをＵＤＭから得た後、ＵＥのためのＭＭコンテキストを作成する。
【００８５】
ＵＥが認証に成功しなかった緊急登録に関して、ＡＭＦは、ＵＤＭに登録しなくてもよい。
【００８６】
緊急登録に関して、ＡＭＦは、アクセス制限、領域制限、またはサブスクリプション制限をチェックしなくてもよい。緊急登録に関して、ＡＭＦは、ＵＤＭからの任意の登録不成功応答を無視し、登録プロシージャを継続し得る。
【００８７】
１４ｃ．ＵＤＭが、ステップ１４ａに示されるように、サービングＡＭＦとともに、関連付けられたアクセスタイプ（例えば、３ＧＰＰ）を記憶すると、ＵＤＭに、存在する場合、同一（例えば、３ＧＰＰ）アクセスに対応する古いＡＭＦに対してＮｕｄｍ＿ＵＣＭ＿ＤｅｒｅｇｉｓｔｒａｔｉｏｎＮｏｔｉｆｙを開始させる。古いＡＭＦは、ＵＥのＭＭコンテキストを除去する。ＵＤＭによって示されるサービングＮＦ除去理由が、初期登録である場合、古いＡＭＦは、Ｎｓｍｆ＿ＰＤＵＳｅｓｓｉｏｎ＿ＵｐｄａｔｅｄＳＭＣｏｎｔｅｘｔ／Ｎｓｍｆ＿ＰＤＵＳｅｓｓｉｏｎ＿ＲｅｌｅａｓｅＳＭＣｏｎｔｅｘｔ（ＳＵＰＩ、ＰＤＵセッションＩＤ）サービス動作をＵＥの全ての関連付けられたＳＭＦに向けて呼び出し、ＵＥが古いＡＭＦから登録解除されることを通知する。ＳＭＦは、この通知を受信することに応じてＰＤＵセッションを解放し得る。
【００８８】
１４ｄ．古いＡＭＦは、Ｎｕｄｍ＿ＳＤＭ＿Ｕｎｓｕｂｓｃｒｉｂｅを使用して、サブスクリプションデータに関してＵＤＭとのサブスクライブを解除する。
【００８９】
２２．新しいＡＭＦ→ＵＥ：登録承認（５Ｇ−ＧＵＴＩ、登録エリア、モビリティ制限、ＰＤＵセッションステータス、許可されたＮＳＳＡＩ、［許可されたＮＳＳＡＩのマッピング］、［サービングＰＬＭＮのために構成されたＮＳＳＡＩ］、［構成されたＮＳＳＡＩのマッピング］、周期的登録更新タイマ、ＬＡＤＮ情報および承認されたＭＩＣＯモード、ＩＭＳボイスオーバーＰＳセッションサポートインジケーション、緊急サービスサポートインジケータ、承認されたＤＲＸパラメータ、Ｎ２６を伴わないインターワーキングのネットワークサポート）。
【００９０】
ＳＩＰは、セッション作成、管理、および削除のために使用されるプロトコルである。これは、ＲＦＣ３２６１に定義されるテキストプロトコルであり、ＵＲＩ（新しい機能性を含むように長年にわたってさらに拡張されている。セッションは、ユーザ名およびドメインの両方が終止符または感嘆符によって分離され得る１対多の複数のラベルから成り得るユーザ名＠ドメインのようなフォーマットを有するＳＩＰ  ＵＲＩ、または、基本的にエンコードされた電話番号である電話ＵＲＩであり得るＵＲＩのいずれか）を用いてダイレクトされる。
【００９１】
緊急呼出が行われるとき、具体的統一資源識別子（ＵＲＩ）が、ネットワークが、呼出が性質上緊急であることを認識することができるように使用される。これは、その中に「ｓｏｓ」のラベルを有し得、このＵＲＩは、統一資源名（ＵＲＮ）と呼ばれ得る。
【００９２】
３ＧＰＰでは、セッション開始プロトコル（ＳＩＰ）は、インターネットプロトコル（ＩＰ）マルチメディアサブシステム（ＩＭＳ）と併用される。図９は、ＩＭＳのブロック図である。ＩＭＳネットワークは、例えば、Ｅ−ＵＴＲＡＮに接続されるＥＰＣ、または非３ＧＰＰアクセスに接続される５ＧＣ、もしくはＮＧ−ＲＡＮによってサポートされることができる。ＩＭＳネットワークは、いくつかの機能要素から成り、そのうちのいくつかが、下記に説明される。
【００９３】
Ｐ−ＣＳＣＦ：プロキシ呼出セッション制御機能。これは、ＩＭＳネットワークの中への最初のエントリポイントである。
【００９４】
Ｓ−ＣＳＣＦ：サービング呼出セッション制御機能。これは、ネットワーク内のセッションをハンドリングし、ＳＩＰメッセージを適切なＩＭＳ  ＡＳおよびＰ−ＣＳＣＦにルーティングする。
【００９５】
Ｉ−ＣＳＣＦ：照会呼出セッション制御機能。これは、ネットワーク内の加入者を見出し、加入者がネットワーク内に登録するときにＳ−ＣＳＣＦを割り当てることを補助するためのエントリポイントとして使用される。
【００９６】
ＡＳ：アプリケーションサーバ。この機能は、典型的には、サービス特有機能性を提供する。ＡＳの実施例のいくつかは、以下を含む。
【００９７】
ＴＡＳ：ＭＭＴｅｌ  ＡＳ。これは、典型的には、電話サービス（例えば、音声、ビデオ等）のためのサービス論理および制御を提供するために使用される。
【００９８】
ＳＣＣ  ＡＳ：サービス一元化および連続ＡＳ。これは、典型的には、ＩＭＳ内のＣＳとＩＭＳとの間のサービスを一元化するため、ならびにＵＥ間および／または異なるＩＰネットワークを横断したＳＩＰセッションおよびその関連付けられたメディアのハンドオーバのためのサービス論理および制御を提供するために使用される。
【００９９】
ＨＳＳ：ホーム加入者サーバ。これは、加入者のプロファイル（識別、彼らがサブスクライブしているサービス）を含有するデータベースであり、必要な認証データベースにおいて同様に場所機能性を提供する。
【０１００】
ＩＭＳ  ＡＳ：ＩＭＳアプリケーションサーバ。これは、ＩＭＳ加入者のためのサービスを実行する論理／ソフトウェアを有する。ネットワーク内には、これらの０から多くのものが存在し得る。
【０１０１】
本明細書に説明される種々の方法または動作は、ネットワーク要素によって実装されてもよい。例示的ネットワーク要素が、図１０に関して示される。図１０では、ネットワーク要素３１１０は、プロセッサ３１２０と、通信サブシステム３１３０とを含み、プロセッサ３１２０および通信サブシステム３１３０は、前述で説明される方法または動作を実施するように協働する。
【０１０２】
さらに、本明細書に説明される種々の方法または動作は、通信デバイス（例えば、ＵＥ、ネットワークノード、ＴＥ等）によって実装されてもよい。通信デバイスの実施例が、図１１に関して下記に説明される。通信デバイス３２００は、音声およびデータ通信能力を有する双方向無線通信デバイスを備えてもよい。いくつかの実施形態では、音声通信能力は、随意である。通信デバイス３２００は、インターネット上で他のコンピュータシステムと通信する能力を有してもよい。提供される厳密な機能性に応じて、通信デバイス３２００は、実施例として、データメッセージングデバイス、双方向ページャ、無線電子メールデバイス、データメッセージング能力を伴う携帯電話、無線インターネットアプライアンス、無線デバイス、スマートフォン、モバイルデバイス、またはデータ通信デバイスと称され得る。
【０１０３】
通信デバイス３２００が双方向通信に対して有効である場合、これは、受信機３２１２および送信機３２１４と、関連付けられるコンポーネント（例えば、１つまたは複数のアンテナ要素３２１６および３２１８、局部発振器（ＬＯ）３２１３、および、処理モジュール（例えば、デジタル信号プロセッサ（ＤＳＰ）３２２０））とを含む通信サブシステム３２１１を組み込んでもよい。通信サブシステム３２１１の特定の設計は、通信デバイス３２００が動作することが意図される通信ネットワーク３２１９に依存してもよい。
【０１０４】
ネットワークアクセスもまた、通信ネットワーク３２１９のタイプに応じて変動してもよい。いくつかのネットワークでは、ネットワークアクセスは、通信デバイス３２００の加入者またはユーザと関連付けられる。通信デバイス３２００は、ネットワーク上で動作するために、ＵＳＩＭまたはｅＵＩＣＣを使用してもよい。ＵＳＩＭ／ｅＵＩＣＣインターフェース３２４４は、典型的には、その中にＵＳＩＭ／ｅＵＩＣＣカードが挿入され得るカードスロットと類似する。ＵＳＩＭ／ｅＵＩＣＣカードは、メモリを有してもよく、多くのキー構成３２５１および他の情報３２５３（例えば、識別および加入者関連情報）を保持してもよい。
【０１０５】
ネットワーク登録またはアクティブ化プロシージャが完了されると、通信デバイス３２００は、通信ネットワーク３２１９を経由して通信信号を送信および受信してもよい。図示されるように、通信ネットワーク３２１９は、通信デバイス３２００と通信する複数の基地局を備えてもよい。
【０１０６】
アンテナ要素３２１６によって通信ネットワーク３２１９を通して受信される信号は、一般的受信機機能（例えば、信号増幅、周波数ダウンコンバージョン、フィルタリング、チャネル選択、および同等物）を実施し得る受信機３２１２に入力される。受信された信号のアナログ／デジタル（Ａ／Ｄ）変換は、復調およびデコード等のより複雑な通信機能がＤＳＰ３２２０内で実施されることを可能にする。類似する様式で、伝送される信号が、例えばＤＳＰ３２２０によって、変調およびエンコードを含めて処理され、デジタル／アナログ（Ｄ／Ａ）変換、周波数アップコンバージョン、フィルタリング、増幅、および、アンテナ要素３２１８を介した通信ネットワーク３２１９を経由する伝送のために、送信機３２１４に入力される。ＤＳＰ３２２０は、通信信号を処理するだけではなく、受信機および送信機制御を提供する。例えば、受信機３２１２および送信機３２１４内の通信信号に適用される利得は、ＤＳＰ３２２０において実装される自動利得制御アルゴリズムを通して適応的に制御されてもよい。
【０１０７】
通信デバイス３２００は、概して、本デバイスの全体的動作を制御するプロセッサ３２３８を含む。データおよび音声通信を含む通信機能は、プロセッサ３２３８と協働する通信サブシステム３２１１を通して実施される。プロセッサ３２３８はまた、さらなるデバイスサブシステム（例えば、ディスプレイ３２２２、フラッシュメモリ３２２４、ランダムアクセスメモリ（ＲＡＭ）３２２６、補助入力／出力（Ｉ／Ｏ）サブシステム３２２８、シリアルポート３２３０、１つまたは複数のユーザインターフェース（例えば、キーボードまたはキーパッド）３２３２、スピーカ３２３４、マイクロホン３２３６、１つまたは複数の他の通信サブシステム３２４０（例えば、近距離通信サブシステム）、および、概して３２４２と指定される任意の他のデバイスサブシステム）と相互作用する。他の通信サブシステム３２４０および他のデバイスサブシステム３２４２は、図１０では、別個のコンポーネントとして描写されるが、他の通信サブシステム３２４０および他のデバイスサブシステム３２４２（またはその一部）は、単一コンポーネントとして統合されてもよいことを理解されたい。シリアルポート３２３０は、ＵＳＢポートまたは現在公知もしくは将来開発される他のポートを含んでもよい。
【０１０８】
図示されるサブシステムのうちのいくつかが、通信関連機能を実施する一方、他のサブシステムが、「常駐」またはオンデバイス機能を提供してもよい。とりわけ、例えば、いくつかのサブシステム（例えば、キーボード３２３２およびディスプレイ３２２２）が、通信関連機能（例えば、通信ネットワークを経由する伝送のためのテキストメッセージの入力）およびデバイス常駐機能（例えば、計算機またはタスクリスト）の両方のために使用されてもよい。
【０１０９】
プロセッサ３２３８によって使用されるオペレーティングシステムソフトウェアが、代わりに、読取専用メモリ（ＲＯＭ）または類似する記憶要素（図示せず）であり得る恒久的記憶装置（例えば、フラッシュメモリ３２２４）内に記憶されてもよい。オペレーティングシステム、具体的デバイスアプリケーション、またはその一部は、ＲＡＭ３２２６等の揮発性メモリに一時的にロードされてもよい。受信された通信信号もまた、ＲＡＭ３２２６内に記憶されてもよい。
【０１１０】
示されるように、フラッシュメモリ３２２４は、コンピュータプログラム３２５８ならびにプログラムデータ記憶装置３２５０、３２５２、３２５４、および３２５６の両方のための異なるエリアによって構成されてもよい。これらの異なる記憶装置タイプは、各プログラムがフラッシュメモリ３２２４の一部をそれらの独自のデータ記憶使用のために分配し得ることを示す。プロセッサ３２３８は、そのオペレーティングシステム機能に加えて、通信デバイス３２００上でのソフトウェアアプリケーションの実行を可能にし得る。例えば少なくともデータおよび音声通信アプリケーションを含む、基本的動作を制御するアプリケーションの所定のセットが、典型的には、製造中に通信デバイス３２００上にインストールされてもよい。他のアプリケーションが、続けてまたは動的に、インストールされてもよい。
【０１１１】
アプリケーションおよびソフトウェアが、任意のコンピュータ可読記憶媒体上に記憶されてもよい。コンピュータ可読記憶媒体は、有形であり得る、または、一過性／非一過性媒体（例えば光学（例えば、ＣＤ、ＤＶＤ等）、磁気（例えば、テープ）、もしくは現在公知または将来開発される他のメモリ）内にあり得る。
【０１１２】
ソフトウェアアプリケーションが、通信ネットワーク３２１９、補助Ｉ／Ｏサブシステム３２２８、シリアルポート３２３０、他の近距離通信サブシステム３２４０、または任意の他の適したデバイスサブシステム３２４２を通して、通信デバイス３２００上にロードされ、プロセッサ３２３８による実行のためにＲＡＭ３２２６または不揮発性記憶装置（図示せず）内にユーザによってインストールされてもよい。アプリケーションインストールにおけるそのような柔軟性は、通信デバイス３２００の機能性を増大させ得、強化されたオンデバイス機能、通信関連機能、または両方を提供し得る。例えば、セキュアな通信アプリケーションは、電子商取引機能および他のそのような金融取引が通信デバイス３２００を使用して実施されることを可能にし得る。
【０１１３】
データ通信モードでは、受信された信号（例えば、テキストメッセージまたはウェブページダウンロード）が、通信サブシステム３２１１によって処理され、プロセッサ３２３８に入力されてもよく、これは、ディスプレイ３２２２への、または代替として、補助Ｉ／Ｏデバイス３２２８への出力のために受信された信号をさらに処理してもよい。
【０１１４】
音声通信に関して、通信デバイス３２００の全体的動作は、受信された信号が、典型的には、スピーカ３２３４に出力され得、伝送のための信号が、マイクロホン３２３６によって生成され得ることを除いて、類似する。代替音声またはオーディオＩ／Ｏサブシステム（例えば、音声メッセージ記録サブシステム）もまた、通信デバイス３２００上に実装されてもよい。音声またはオーディオ信号出力は、主として、スピーカ３２３４を通して遂行され得るが、ディスプレイ３２２２もまた、例えば、起呼側の識別、音声通話の持続時間、または他の音声通話関連情報のインジケーションを提供するために使用されてもよい。
【０１１５】
シリアルポート３２３０は、ユーザのデスクトップコンピュータ（図示せず）との同期が望ましくあり得る携帯情報端末（ＰＤＡ）タイプデバイスにおいて実装されてもよいが、そのようなポートは、随意のデバイスコンポーネントである。そのようなシリアルポート３２３０は、ユーザが、外部デバイスまたはソフトウェアアプリケーションを通して選好を設定することを可能にしてもよく、無線通信ネットワーク３２１９以外を通して通信デバイス３２００に情報またはソフトウェアダウンロードを提供することによって、通信デバイス３２００の能力を拡張してもよい。代替ダウンロードパスが、例えば、直接的な、したがって、信頼性のある確かな接続を通して通信デバイス３２００上に暗号化キーをロードし、それによって、セキュアなデバイス通信を可能にするために、使用されてもよい。シリアルポート３２３０は、モデムとして作用するように本デバイスをコンピュータに接続するためにさらに使用されてもよい。
【０１１６】
近距離通信サブシステム等の他の通信サブシステム３２４０は、通信デバイス３２００と、必ずしも類似するデバイスである必要はない異なるシステムまたはデバイスとの間の通信を提供し得るさらなる随意のコンポーネントである。例えば、１つまたは複数の他の通信サブシステム３２４０は、同様に有効にされたシステムおよびデバイスとの通信を提供するために、赤外線デバイスならびに関連付けられる回路およびコンポーネントまたはＢｌｕｅｔｏｏｔｈ（登録商標）通信モジュールを含んでもよい。他の通信サブシステム３２４０は、非セルラー通信（例えば、Ｗｉ−Ｆｉ、ＷｉＭＡＸ、近距離無線通信（ＮＦＣ）、ＢＬＵＥＴＯＯＴＨ（登録商標）、ＰｒｏＳｅ（近接サービス）（例えば、サイドリンク、ＰＣ５、Ｄ２Ｄ等）および／または無線周波数識別（ＲＦＩＤ））をさらに含んでもよい。他の通信サブシステム３２４０および／または他のデバイスサブシステム３２４２はまた、補助デバイス（例えば、タブレットディスプレイ、キーボード、またはプロジェクタ）と通信するために使用されてもよい。
【０１１７】
上記に説明される通信デバイス３２００および他のコンポーネントは、上記に説明されるアクションに関連する命令を実行することが可能である処理コンポーネントを含み得る。図１２は、本明細書に開示される１つまたは複数の実施形態を実装することに適した処理コンポーネント３３１０を含むシステム３３００の実施例を図示する。（中央プロセッサユニットまたはＣＰＵと称され得る）プロセッサ３３１０に加えて、システム３３００は、ネットワークコネクティビティデバイス３３２０と、ランダムアクセスメモリ（ＲＡＭ）３３３０と、読取専用メモリ（ＲＯＭ）３３４０と、二次記憶装置３３５０と、入力／出力（Ｉ／Ｏ）デバイス３３６０とを含み得る。これらのコンポーネントは、バス３３７０を介して相互に通信し得る。いくつかの場合には、これらのコンポーネントのうちのいくつかは、存在しない場合がある、または、相互にもしくは示されない他のコンポーネントと種々の組み合わせで組み合わせられてもよい。これらのコンポーネントは、単一の物理的エンティティ内に、または１つを上回る物理的エンティティ内に位置し得る。プロセッサ３３１０によってとられるものとして本明細書に説明される任意のアクションは、プロセッサ３３１０のみによって、または、図面に示されるまたは示されない１つまたは複数のコンポーネント（例えば、デジタル信号プロセッサ（ＤＳＰ）３３８０）と併せてプロセッサ３３１０によって、とられ得る。ＤＳＰ３３８０は、別個のコンポーネントとして示されるが、ＤＳＰ３３８０は、プロセッサ３３１０に組み込まれ得る。
【０１１８】
プロセッサ３３１０は、これがネットワークコネクティビティデバイス３３２０、ＲＡＭ３３３０、ＲＯＭ３３４０、または二次記憶装置３３５０（ハードディスク、フロッピー（登録商標）ディスク、もしくは光学ディスク等の種々のディスクベースのシステムを含み得る）からアクセスし得る命令、コード、コンピュータプログラム、またはスクリプトを実行する。１つのみのＣＰＵ３３１０が示されるが、複数のプロセッサが、存在してもよい。したがって、命令は、あるプロセッサによって実行されるものとして議論され得るが、命令は、同時に、連続的に、または、１つまたは複数のプロセッサによって他の態様で実行されてもよい。プロセッサ３３１０は、１つまたは複数のＣＰＵチップとして実装されてもよい。
【０１１９】
ネットワークコネクティビティデバイス３３２０は、モデム、モデムバンク、イーサネット（登録商標）デバイス、ユニバーサルシリアルバス（ＵＳＢ）インターフェースデバイス、シリアルインターフェース、トークンリングデバイス、無線ローカルエリアネットワーク（ＷＬＡＮ）デバイス、無線送受信機デバイス（例えば、符号分割多重アクセス（ＣＤＭＡ）デバイス、モバイル通信のためのグローバルシステム（ＧＳＭ（登録商標））無線送受信機デバイス、ユニバーサルモバイル通信システム（ＵＭＴＳ）無線送受信機デバイス、ＬＴＥ無線送受信機デバイス、新世代無線送受信機デバイス）、世界規模相互運用マイクロ波アクセス（ＷｉＭＡＸ）デバイス、および／または、ネットワークに接続するための他の周知のデバイスの形態をとってもよい。これらのネットワークコネクティビティデバイス３３２０は、プロセッサ３３１０が、インターネットまたは１つまたは複数の電気通信ネットワーク、もしくは、それからプロセッサ３３１０が情報を受信し得るまたはそれにプロセッサ３３１０が情報を出力し得る他のネットワークと通信することを可能にし得る。ネットワークコネクティビティデバイス３３２０はまた、無線でデータを伝送および／または受信することが可能な１つまたは複数の送受信機コンポーネント３３２５を含み得る。
【０１２０】
ＲＡＭ３３３０は、揮発性データを記憶し、おそらく、プロセッサ３３１０によって実行される命令を記憶するために、使用され得る。ＲＯＭ３３４０は、典型的には二次記憶装置３３５０のメモリ容量よりも少ないメモリ容量を有する不揮発性メモリデバイスである。ＲＯＭ３３４０は、命令と、おそらく命令の実行中に読み取られるデータとを記憶するために使用され得る。ＲＡＭ３３３０およびＲＯＭ３３４０の両方へのアクセスは、典型的には、二次記憶装置３３５０へのアクセスよりも速い。二次記憶装置３３５０は、典型的には、１つまたは複数のディスクドライブまたはテープドライブから成り、データの不揮発性記憶のために、または、ＲＡＭ３３３０が全ての作業データを保持するために十分に大きくない場合にはオーバーフローデータ記憶デバイスとして、使用され得る。二次記憶装置３３５０は、そのようなプログラムが実行のために選択されるとき、ＲＡＭ３３３０にロードされるプログラムを記憶するために使用されてもよい。
【０１２１】
Ｉ／Ｏデバイス３３６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープリーダ、プリンタ、ビデオモニタ、または他の周知の入力／出力デバイスを含んでもよい。また、送受信機コンポーネント３３２５は、ネットワークコネクティビティデバイス３３２０のコンポーネントであることの代わりに、または、それに加えて、Ｉ／Ｏデバイス３３６０のコンポーネントであると見なされ得る。
【０１２２】
３ＧＰＰ  ＴＳ２４．５０１、３ＧＰＰ  ＴＳ２４．３０１、３ＧＰＰ  ＴＳ２３．１６７、３ＧＰＰ  ＴＳ２３．５０１、３ＧＰＰ  ＴＳ２７．００７、３ＧＰＰ  ＴＳ２３．００３、３ＧＰＰ  ＴＳ２２．１０１、および３ＧＰＰ  ＴＳ３１．１０２は、あらゆる目的のために、参照により本明細書に援用される。
【０１２３】
いくつかの実施形態が、本開示に提供されているが、開示されるシステムおよび方法は、本開示の範囲から逸脱することなく、多くの他の具体的形態において具現化され得ることを理解されたい。本実施例は、制限的ではなく例証的と見なされるべきものであり、その意図は、本明細書に与えられる詳細に限定されるものではない。例えば、種々の要素またはコンポーネントが、別のシステムにおいて組み合わせられてもよいまたは統合されてもよい、もしくは、ある特徴が、省略される場合があるまたは実装されない場合がある。
【０１２４】
また、離散または別個のものとして種々の実施形態に説明および例証される技法、システム、サブシステム、および方法は、本開示の範囲から逸脱することなく、他のシステム、モジュール、技法、または方法と組み合わせられてもよいまたは統合されてもよい。相互に結合されるものとして、もしくは相互に直接結合されるものとして、または相互に通信するものとして示されるもしくは議論される他のアイテムは、電気的に、機械的に、または他の態様にかかわらず、あるインターフェース、デバイス、または中間コンポーネントを通して間接的に結合されてもよいもしくは通信してもよい。変更、代用、および改変の他の実施例が、当業者によって確認可能であり、本明細書に開示される精神および範囲から逸脱することなく行われ得る。
【図１】
2021521743.tif 000007
【図２】
2021521743.tif 000008
【図３Ａ】
2021521743.tif 000009
【図３Ｂ】
2021521743.tif 000010
【図４】
2021521743.tif 000011
【図５】
2021521743.tif 000012
【図６】
2021521743.tif 000013
【図７】
2021521743.tif 000014
【図８】
2021521743.tif 000015
【図９】
2021521743.tif 000016
【図１０】
2021521743.tif 000017
【図１１】
2021521743.tif 000018
【図１２】
2021521743.tif 000019
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
第３世代パートナシッププロジェクト（３ＧＰＰ）アクセスを使用してかつ非３ＧＰＰアクセスを使用して登録をサポートするユーザ機器（ＵＥ）における方法であって、前記方法は、
前記ＵＥが、第１の地上波公共移動通信ネットワーク（ＰＬＭＮ）との第１の登録プロシージャを使用して受信された第１の緊急情報を記憶することであって、前記第１の緊急情報は、第１の拡張ローカル緊急番号リストを含み、前記第１の緊急情報は、前記第１のＰＬＭＮから受信される、ことと、
前記ＵＥが、非３ＧＰＰアクセスを介して、第２のＰＬＭＮとの第２の登録プロシージャを使用して、ＲＥＧＩＳＴＲＡＴＩＯＮ  ＡＣＣＥＰＴメッセージを受信することであって、前記ＲＥＧＩＳＴＲＡＴＩＯＮ  ＡＣＣＥＰＴメッセージは、拡張ローカル緊急番号リストを除外する、ことと、
１つまたは複数の条件のうちの少なくとも１つの条件が満たされる場合、前記第２のＰＬＭＮから前記ＲＥＧＩＳＴＲＡＴＩＯＮ  ＡＣＣＥＰＴメッセージを受信した後、前記ＵＥが、前記第１の緊急情報を破棄することと
を含み、
前記１つまたは複数の条件のうちの第１の条件は、前記ＵＥが、前記第１のＰＬＭＮの国と異なる国内にある前記第２のＰＬＭＮから前記ＲＥＧＩＳＴＲＡＴＩＯＮ  ＡＣＣＥＰＴメッセージを受信したことを含む、方法。
【請求項２】
前記第１の緊急情報は、第１のインジケーションを含む拡張緊急番号リスト有効性（ＥＥＮＬＶ）インジケータをさらに含み、前記第１のインジケーションは、前記第１の拡張ローカル緊急番号リストが、前記リストが受信された前記第１のＰＬＭＮにおいて有効であることを示す、請求項１に記載の方法。
【請求項３】
前記１つまたは複数の条件のうちの第２の条件は、前記ＵＥが、前記第１のＰＬＭＮと異なる前記第２のＰＬＭＮから前記ＲＥＧＩＳＴＲＡＴＩＯＮ  ＡＣＣＥＰＴメッセージを受信したことを含む、請求項２に記載の方法。
【請求項４】
前記１つまたは複数の条件のうちの少なくとも１つの条件が満たされる場合に前記第１の緊急情報を破棄することは、前記１つまたは複数の条件のうちの少なくとも１つの条件が満たされない限り、前記第１の緊急情報を保つことを含む、請求項１に記載の方法。
【請求項５】
前記第１のＰＬＭＮとの登録プロシージャは、３ＧＰＰアクセスを介した登録プロシージャを含む、請求項１に記載の方法。
【請求項６】
前記ＵＥが、前記第１の緊急情報が受信されたときに介したアクセスタイプのインジケーションを記憶することをさらに含む、請求項１に記載の方法。
【請求項７】
前記１つまたは複数の条件のうちの第３の条件は、非３ＧＰＰアクセスに合致するアクセスタイプのインジケーションを含む、請求項６に記載の方法。
【請求項８】
前記第１の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを含む、請求項１に記載の方法。
【請求項９】
前記第２の登録プロシージャは、５Ｇシステム（５ＧＳ）における登録プロシージャを用いて前記ＵＥの存在を登録することを含む、請求項１に記載の方法。
【請求項１０】
第３世代パートナシッププロジェクト（３ＧＰＰ）アクセスを使用してかつ非３ＧＰＰアクセスを使用して登録をサポートするユーザ機器（ＵＥ）であって、前記ＵＥは、
メモリと、
前記メモリに結合されるプロセッサであって、前記プロセッサは、
第１の地上波公共移動通信ネットワーク（ＰＬＭＮ）との第１の登録プロシージャを使用して受信された第１の緊急情報を記憶することであって、前記第１の緊急情報は、第１の拡張ローカル緊急番号リストを含み、前記第１の緊急情報は、前記第１のＰＬＭＮから受信される、ことと、
非３ＧＰＰアクセスを介して、第２のＰＬＭＮとの第２の登録プロシージャを使用して、ＲＥＧＩＳＴＲＡＴＩＯＮ  ＡＣＣＥＰＴメッセージを受信することであって、前記ＲＥＧＩＳＴＲＡＴＩＯＮ  ＡＣＣＥＰＴメッセージは、拡張ローカル緊急番号リストを除外する、ことと、
１つまたは複数の条件のうちの少なくとも１つの条件が満たされる場合、前記第２のＰＬＭＮから前記ＲＥＧＩＳＴＲＡＴＩＯＮ  ＡＣＣＥＰＴメッセージを受信した後、前記第１の緊急情報を破棄することと
を行うように構成される、プロセッサと
を備え、
前記１つまたは複数の条件のうちの第１の条件は、前記ＵＥが、前記第１のＰＬＭＮの国と異なる国内にある前記第２のＰＬＭＮから前記ＲＥＧＩＳＴＲＡＴＩＯＮ  ＡＣＣＥＰＴメッセージを受信したことを含む、ＵＥ。
【請求項１１】
前記第１の緊急情報は、第１のインジケーションを含む拡張緊急番号リスト有効性（ＥＥＮＬＶ）インジケータをさらに含み、前記第１のインジケーションは、前記第１の拡張ローカル緊急番号リストが、前記リストが受信された前記第１のＰＬＭＮにおいて有効であることを示す、請求項１０に記載のＵＥ。
【請求項１２】
前記１つまたは複数の条件のうちの第２の条件は、前記ＵＥが、前記第１のＰＬＭＮと異なる前記第２のＰＬＭＮから前記ＲＥＧＩＳＴＲＡＴＩＯＮ  ＡＣＣＥＰＴメッセージを受信したことを含む、請求項１１に記載のＵＥ。
【請求項１３】
前記１つまたは複数の条件のうちの少なくとも１つの条件が満たされる場合に前記第１の緊急情報を破棄することは、前記１つまたは複数の条件のうちの少なくとも１つの条件が満たされない限り、前記第１の緊急情報を保つことを含む、請求項１０に記載のＵＥ。
【請求項１４】
前記ＵＥが、前記第１の緊急情報が受信されたときに介したアクセスタイプのインジケーションを記憶することをさらに含み、前記１つまたは複数の条件のうちの第３の条件は、非３ＧＰＰアクセスに合致するアクセスタイプのインジケーションを含む、請求項１０に記載のＵＥ。
【請求項１５】
前記第１の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを含む、請求項１０に記載のＵＥ。
【請求項１６】
命令を備える非一過性コンピュータ可読媒体であって、
前記命令は、第３世代パートナシッププロジェクト（３ＧＰＰ）アクセスを使用してかつ非３ＧＰＰアクセスを使用して登録をサポートするユーザ機器（ＵＥ）によって実行されると、
第１の地上波公共移動通信ネットワーク（ＰＬＭＮ）との第１の登録プロシージャを使用して受信された第１の緊急情報を記憶することであって、前記第１の緊急情報は、第１の拡張ローカル緊急番号リストを含み、前記第１の緊急情報は、前記第１のＰＬＭＮから受信される、ことと、
非３ＧＰＰアクセスを介して、第２のＰＬＭＮとの第２の登録プロシージャを使用して、ＲＥＧＩＳＴＲＡＴＩＯＮ  ＡＣＣＥＰＴメッセージを受信することであって、前記ＲＥＧＩＳＴＲＡＴＩＯＮ  ＡＣＣＥＰＴメッセージは、拡張ローカル緊急番号リストを除外する、ことと、
１つまたは複数の条件のうちの少なくとも１つの条件が満たされる場合、前記第２のＰＬＭＮから前記ＲＥＧＩＳＴＲＡＴＩＯＮ  ＡＣＣＥＰＴメッセージを受信した後、前記第１の緊急情報を破棄することと
を前記ＵＥに行わせ、
前記１つまたは複数の条件のうちの第１の条件は、前記ＵＥが、前記第１のＰＬＭＮの国と異なる国内にある前記第２のＰＬＭＮから前記ＲＥＧＩＳＴＲＡＴＩＯＮ  ＡＣＣＥＰＴメッセージを受信したことを含む、非一過性コンピュータ可読媒体。
【請求項１７】
前記第１の緊急情報は、第１のインジケーションを含む拡張緊急番号リスト有効性（ＥＥＮＬＶ）インジケータをさらに含み、前記第１のインジケーションは、前記第１の拡張ローカル緊急番号リストが、前記リストが受信された前記第１のＰＬＭＮにおいて有効であることを示し、前記１つまたは複数の条件のうちの第２の条件は、前記ＵＥが、前記第１のＰＬＭＮと異なる前記第２のＰＬＭＮから前記ＲＥＧＩＳＴＲＡＴＩＯＮ  ＡＣＣＥＰＴメッセージを受信したことを含む、請求項１６に記載の非一過性コンピュータ可読媒体。
【請求項１８】
前記１つまたは複数の条件のうちの少なくとも１つの条件が満たされる場合に前記第１の緊急情報を破棄することは、前記１つまたは複数の条件のうちの少なくとも１つの条件が満たされない限り、前記第１の緊急情報を保つことを含む、請求項１６に記載の非一過性コンピュータ可読媒体。
【請求項１９】
前記第１の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを含む、請求項１６に記載の非一過性コンピュータ可読媒体。
【請求項２０】
前記第１のＰＬＭＮとの登録プロシージャは、３ＧＰＰアクセスを介した登録プロシージャを含み、前記第２の登録プロシージャは、５Ｇシステム（５ＧＳ）における登録プロシージャを用いて前記ＵＥの存在を登録することを含む、請求項１６に記載の非一過性コンピュータ可読媒体。
【手続補正２】
【補正対象書類名】明細書
【補正対象項目名】０００３
【補正方法】変更
【補正の内容】
【０００３】
緊急番号は、地域または国特有であり得る。通信システムのローカルユーザは、通常、そのローカルシステムにおける緊急番号を熟知している。しかしながら、ローミングユーザは、それらを熟知していない場合がある。いくつかの国は、緊急番号を急速に導入している。例えば、仏国は、過去１０年に６つの緊急サービスを追加している。呼出が緊急番号に行われるときに正しい特性が適用されることを確実にするために、緊急番号のリストが、ユーザ機器（ＵＥ）に記憶されてもよい。緊急番号のリストは、地上波公共移動通信ネットワーク（ＰＬＭＮ）との登録中にＵＥによって受信されてもよい。ＰＬＭＮは、ＵＥによる通信を促進する無線通信ネットワークである。ＵＥは、所与の時間において、１つまたは複数のＰＬＭＮに登録され得る。登録は、１つまたは複数のアクセス技術（例えば、３ＧＰＰアクセス技術および非３ＧＰＰアクセス技術）を介して生じ得る。３ＧＰＰアクセス技術は、限定ではないが、Ｅ−ＵＴＲＡ（進化型ユニバーサル地上無線アクセス）、汎用パケット無線サービス（ＧＰＲＳ）、ロングタームエボリューション（ＬＴＥ）、および次世代無線アクセスネットワーク（ＮＧ−ＲＡＮ）を含む。ＮＧ−ＲＡＮは、それが５ＧＣに接続するという共通特性を伴う以下のオプション、すなわち、１）スタンドアロン新規無線（ＮＲ）、２）Ｅ−ＵＴＲＡ拡張を伴うアンカであるＮＲ、３）スタンドアロンＥ−ＵＴＲＡ、または４）ＮＲ拡張を伴うアンカであるＥ−ＵＴＲＡのうちの１つまたは複数のものをサポートする無線アクセスネットワークである。非３ＧＰＰアクセス技術は、限定ではないが、無線ローカルエリアネットワーク（ＷＬＡＮ）を含む。
本発明は、例えば、以下を提供する。
（項目１）
第３世代パートナシッププロジェクト（３ＧＰＰ）アクセスを使用してかつ非３ＧＰＰアクセスを使用して登録をサポートするユーザ機器（ＵＥ）における方法であって、前記方法は、
前記ＵＥが、第１の登録プロシージャを使用して受信された第１の緊急情報を記憶することと、
前記ＵＥが、非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記ＵＥが、前記第１の緊急情報を保つことと
を含む、方法。
（項目２）
前記第１の登録プロシージャは、第１のネットワークとの登録プロシージャを含む、項目１に記載の方法。
（項目３）
前記第１のネットワークとの登録プロシージャは、３ＧＰＰアクセスを介した登録プロシージャを含む、項目２に記載の方法。
（項目４）
前記ＵＥが、前記第１の緊急情報が受信されたときに介したアクセスタイプのインジケーションを記憶することをさらに含む、項目１〜３のいずれかに記載の方法。
（項目５）
前記第２の登録プロシージャは、第２のネットワークとの登録プロシージャを含む、項目２に記載の方法。
（項目６）
前記ＲＥＧＩＳＴＲＡＴＩＯＮ  ＡＣＣＥＰＴメッセージは、第２の緊急情報を含有しない、項目１〜５のいずれかに記載の方法。
（項目７）
前記第１の緊急情報は、拡張緊急番号リスト情報要素（ＩＥ）または拡張緊急番号リストＩＥからのデータを含む、項目１〜６のいずれかに記載の方法。
（項目８）
前記ＲＥＧＩＳＴＲＡＴＩＯＮ  ＡＣＣＥＰＴメッセージは、前記ＵＥの現在の場所と関連付けられた国と異なる国のネットワークから受信される、項目５に記載の方法。
（項目９）
前記ＲＥＧＩＳＴＲＡＴＩＯＮ  ＡＣＣＥＰＴメッセージは、第２の緊急情報を含有する、項目１〜８のいずれかに記載の方法。
（項目１０）
前記第１の緊急情報は、前記第１のネットワークにおいて有効である、項目２に記載の方法。
（項目１１）
前記第１の登録プロシージャまたは前記第２の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを含む、項目１〜１０のいずれかに記載の方法。
（項目１２）
前記第１のネットワークおよび前記第２のネットワークは、異なる、項目５に記載の方法。
（項目１３）
前記第１の緊急情報を保つことは、前記第２の緊急情報を破棄することを含む、項目９に記載の方法。
（項目１４）
第３世代パートナシッププロジェクト（３ＧＰＰ）アクセスを使用してかつ非３ＧＰＰアクセスを使用して登録をサポートするユーザ機器（ＵＥ）であって、前記ＵＥは、
メモリと、
前記メモリに結合されるプロセッサであって、前記プロセッサは、
第１の登録プロシージャを使用して受信された第１の緊急情報を記憶することと、
非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記第１の緊急情報を保つことと
を行うように構成される、プロセッサと
を備える、ＵＥ。
（項目１５）
前記第１の登録プロシージャは、第１のネットワークとの登録プロシージャを含む、項目１４に記載のＵＥ。
（項目１６）
前記第１のネットワークとの登録プロシージャは、３ＧＰＰアクセスを介した登録プロシージャを含む、項目１５に記載のＵＥ。
（項目１７）
前記プロセッサは、前記第１の緊急情報が受信されたときに介したアクセスタイプのインジケーションを記憶するようにさらに構成される、項目１４〜１６のいずれか１項に記載のＵＥ。
（項目１８）
前記第２の登録プロシージャは、第２のネットワークとの登録プロシージャを含む、項目１５に記載のＵＥ。
（項目１９）
前記ＲＥＧＩＳＴＲＡＴＩＯＮ  ＡＣＣＥＰＴメッセージは、第２の緊急情報を含有しない、項目１４〜１８のいずれか１項に記載のＵＥ。
（項目２０）
前記第１の緊急情報は、拡張緊急番号リスト情報要素（ＩＥ）または拡張緊急番号リストＩＥからのデータを含む、項目１４〜１９のいずれか１項に記載のＵＥ。
（項目２１）
前記ＲＥＧＩＳＴＲＡＴＩＯＮ  ＡＣＣＥＰＴメッセージは、前記ＵＥの現在の場所と関連付けられた国と異なる国のネットワークから受信される、項目１８に記載のＵＥ。
（項目２２）
前記ＲＥＧＩＳＴＲＡＴＩＯＮ  ＡＣＣＥＰＴメッセージは、第２の緊急情報を含有する、項目１４〜２１のいずれか１項に記載のＵＥ。
（項目２３）
前記第１の緊急情報は、前記第１のネットワークにおいて有効である、項目１５に記載のＵＥ。
（項目２４）
前記第１の登録プロシージャまたは前記第２の登録プロシージャは、前記プロセッサが、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録するように構成されることを含む、項目１４〜２３のいずれか１項に記載のＵＥ。
（項目２５）
前記第１のネットワークおよび前記第２のネットワークは、異なる、項目１８に記載のＵＥ。
（項目２６）
前記第１の緊急情報を保つことは、前記プロセッサが前記第２の緊急情報を破棄するように構成されることを含む、項目２２に記載のＵＥ。
（項目２７）
命令を備える非一過性コンピュータ可読媒体であって、
前記命令は、第３世代パートナシッププロジェクト（３ＧＰＰ）アクセスを使用してかつ非３ＧＰＰアクセスを使用して登録をサポートするユーザ機器（ＵＥ）によって実行されると、
第１の登録プロシージャを使用して受信された第１の緊急情報を記憶することと、
非３ＧＰＰアクセスを介して、第２の登録プロシージャを使用して、ＲＥＧＩＳＴＲＡＴＩＯＮ  ＡＣＣＥＰＴメッセージを受信することと、
前記ＲＥＧＩＳＴＲＡＴＩＯＮ  ＡＣＣＥＰＴメッセージを受信した後、前記第１の緊急情報を保つことと
を前記ＵＥに行わせる、非一過性コンピュータ可読媒体。
（項目２８）
前記第１の登録プロシージャは、第１のネットワークとの登録プロシージャを含む、項目２７に記載の非一過性コンピュータ可読媒体。
（項目２９）
前記第１のネットワークとの登録プロシージャは、３ＧＰＰアクセスを介した登録プロシージャを含む、項目２８に記載の非一過性コンピュータ可読媒体。
（項目３０）
前記命令は、前記第１の緊急情報が受信されたときに介したアクセスタイプのインジケーションを記憶することを前記ＵＥにさらに行わせる、項目２７〜２９のいずれか１項に記載の非一過性コンピュータ可読媒体。
（項目３１）
前記第２の登録プロシージャは、第２のネットワークとの登録プロシージャを含む、項目２８に記載の非一過性コンピュータ可読媒体。
（項目３２）
前記ＲＥＧＩＳＴＲＡＴＩＯＮ  ＡＣＣＥＰＴメッセージは、第２の緊急情報を含有しない、項目２７〜３１のいずれか１項に記載の非一過性コンピュータ可読媒体。
（項目３３）
前記第１の緊急情報は、拡張緊急番号リスト情報要素（ＩＥ）または拡張緊急番号リストＩＥからのデータを含む、項目２７〜３２のいずれか１項に記載の非一過性コンピュータ可読媒体。
（項目３４）
前記ＲＥＧＩＳＴＲＡＴＩＯＮ  ＡＣＣＥＰＴメッセージは、前記ＵＥの現在の場所と関連付けられた国と異なる国のネットワークから受信される、項目３１に記載の非一過性コンピュータ可読媒体。
（項目３５）
前記ＲＥＧＩＳＴＲＡＴＩＯＮ  ＡＣＣＥＰＴメッセージは、第２の緊急情報を含有する、項目２７〜３４のいずれか１項に記載の非一過性コンピュータ可読媒体。
（項目３６）
前記第１の緊急情報は、前記第１のネットワークにおいて有効である、項目２８に記載の非一過性コンピュータ可読媒体。
（項目３７）
前記第１の登録プロシージャまたは前記第２の登録プロシージャは、追跡エリア更新プロシージャ、進化型パケットシステム（ＥＰＳ）におけるアタッチプロシージャ、または、５Ｇシステム（５ＧＳ）における登録プロシージャのうちの少なくとも１つを用いて、前記ＵＥの存在を登録することを前記ＵＥに行わせる命令を含む、項目２７〜３６のいずれか１項に記載の非一過性コンピュータ可読媒体。
（項目３８）
前記第１のネットワークおよび前記第２のネットワークは、異なる、項目３１に記載の非一過性コンピュータ可読媒体。
（項目３９）
前記第１の緊急情報を保つことは、前記第２の緊急情報を破棄することを前記ＵＥに行わせる命令を含む、項目３５に記載の非一過性コンピュータ可読媒体。
【国際調査報告】
2021521743.tif 000020
2021521743.tif 000021
2021521743.tif 000022